(57)【特許請求の範囲】
【請求項１】
複数の走査線と複数のデータ線との各交差に対応して設けられた画素を駆動する表示装置の駆動方法であって、
前記複数の走査線のうち特定の走査線と、前記複数のデータ線のうち特定のデータ線との交差に対応する画素を表示状態とし、それ以外の画素を非表示状態とする場合に、
前記特定の走査線に対しては、
１本の走査線を１水平走査期間毎に選択して、当該１水平走査期間を２分割した一方の期間にて、選択電圧を当該選択走査線に印加し、さらに、前記選択電圧の極性を、前記データ線に印加される点灯電圧および非点灯電圧の中間値を基準として、少なくとも２以上の水平走査期間毎に反転させ、
前記特定の走査線以外の走査線に対しては、
非選択電圧を、前記中間値を基準として１以上の垂直走査期間毎に極性反転して供給する一方、
前記特定のデータ線に対しては、
前記特定の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加し、
前記特定のデータ線以外のデータ線に対しては、
前記特定の走査線が連続して選択される期間に、非点灯電圧を、選択走査線に印加される選択電圧の極性に応じて、かつ、前記選択電圧の極性反転の周期毎に極性反転して供給することを特徴とする表示装置の駆動方法。
【請求項２】
前記特定の走査線のうち、１本の走査線を選択するとき、１水平走査期間を２分割した後半期間にて選択電圧を当該選択走査線に印加し、
次の１本の走査線を選択するとき、１水平走査期間を２分割した前半期間にて選択電圧を当該選択走査線に印加して、
当該選択電圧を、１水平走査期間毎に一方の期間および他方の期間で交互に印加する
ことを特徴とする請求項１に記載の表示装置の駆動方法。
【請求項３】
前記特定のデータ線に対し、
前記選択電圧を前記後半期間に印加するとき、当該後半期間の終点よりも、当．該選択走査線と当該特定のデータ線との交差に対応する画素の階調に応じた期間手前の時点から、当該後半期間の終点まで点灯電圧を印加し、その後半期間の残余期間では非点灯電圧を印加する一方、
前記選択電圧を前記前半期間に印加するとき、当該前半期間の始点から、当該選択走査線と当該特定のデータ線との交差に対応する画素の階調に応じた期間まで、点灯電圧を印加し、その前半期間の残余期間では非点灯電圧を印加することを特徴とする請求項２に記載の表示装置の駆動方法。
【請求項４】
前記特定の走査線以外の走査線が連続して選択される期間に、
前記データ線の各々に対して、
前記中間値を基準とする正極側電圧および負極側電圧からなる信号を、その中間値を基準として１以上の水平走査期間毎に極性反転して供給することを特徴とする請求項１に記載の表示装置の駆動方法。
【請求項５】
前記正極側電圧および負極側電圧からなる信号の極性反転周期は、
前記特定の走査線以外の走査線の総数を、２以上の整数で割った略商分の水平走査期間であることを特徴とする請求項４記載の表示装置の駆動方法。
【請求項６】
複数の走査線と複数のデータ線との各交差に対応して設けられた画素を駆動する表示装置の駆動回路であって、
前記複数の走査線のうち特定の走査線と、前記複数のデータ線のうち特定のデータ線との交差に対応する画素を表示状態とし、それ以外の画素を非表示状態とする場合に、
前記特定の走査線に対しては、
１本の走査線を１水平走査期間毎に選択して、当該１水平走査期間を２分割した一方の期間にて、選択電圧を当該選択走査線に印加し、さらに、前記選択電圧の極性を、前記データ線に印加される点灯電圧および非点灯電圧の中間値を基準として、少なくとも２以上の水平走査期間毎に反転させる一方、
前記特定の走査線以外の走査線に対しては、
非選択電圧を、前記中間値を基準として１以上の垂直走査期間毎に極性反転して供給する走査線駆動回路と、
前記特定のデータ線に対しては、
前記特定の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加する一方、
前記特定のデータ線以外のデータ線に対しては、
前記特定の走査線が連続して選択される期間に、非点灯電圧を、選択走査線に印加される選択電圧の極性に応じて、かつ、前記選択電圧の極性反転の周期毎に極性反転して供給するデータ線駆動回路とを具備することを特徴とする表示装置の駆動回路。
【請求項７】
前記走査線駆動回路は、
前記特定の走査線のうち、１本の走査線を選択するとき、１水平走査期間を２分割した後半期間にて選択電圧を当該選択走査線に印加し、
次の特定の走査線を選択するとき、１水平走査期間を２分割した前半期間にて選択電圧を当該選択走査線に印加して、
当該選択電圧を、１水平走査期間毎に一方の期間および他方の期間で交互に印加する  ことを特徴とする請求項６に記載の表示装置の駆動回路。
【請求項８】
前記データ線駆動回路は、
前記選択電圧が前記後半期間に印加されるとき、
前記特定のデータ線に対し、
当該後半期間の終点よりも、当該選択走査線と当該特定のデータ線との交差に対応する画素の階調に応じた期間手前の時点から、当該後半期間の終点まで点灯電圧を印加し、その後半期間の残余期間では非点灯電圧を印加する一方、
前記選択電圧が前記前半期間に印加されるとき、
前記特定のデータ線に対し、
当該前半期間の始点から、当該選択走査線と当該特定のデータ線との交差に対応する画素の階調に応じた期間まで、点灯電圧を印加し、その前半期間の残余期間では非点灯電圧を印加することを特徴とする請求項７に記載の表示装置の駆動回路。
【請求項９】
前記データ線駆動回路は、
前記特定の走査線以外の走査線が連続して選択される期間に、
前記データ線の各々に対して、
前記中間値を基準とする正極側電圧および負極側電圧からなる信号を、その中間値を基準として１以上の水平走査期間毎に極性反転して供給することを特徴とする請求項６に記載の表示装置の駆動回路。
【請求項１０】
前記正極側電圧および負極側電圧からなる信号の極性反転周期は、
前記特定の走査線以外の走査線の総数を、２以上の整数で割った略商分の水平走査期間であることを特徴とする請求項９記載の表示装置の駆動回路。
【請求項１１】
複数の走査線と複数のデータ線との各交差に対応して設けられた画素を駆動する表示装置であって、
前記複数の走査線のうち特定の走査線と、前記複数のデータ線のうち特定のデータ線との交差に対応する画素を表示状態とし、それ以外の画素を非表示状態とする場合に、
前記特定の走査線に対しては、
１本の走査線を１水平走査期間毎に選択して、当該１水平走査期間を２分割した一方の期間にて、選択電圧を当該選択走査線に印加し、さらに、前記選択電圧の極性を、前記データ線に印加される点灯電圧および非点灯電圧の中間値を基準として、少なくとも２以上の水平走査期間毎に反転させる一方、
前記特定の走査線以外の走査線に対しては、
非選択電圧を、前記中間値を基準として１以上の垂直走査期間毎に極性反転して供給する走査線駆動回路と、
前記特定のデータ線に対しては、
前記特定の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加する一方、
前記特定のデータ線以外のデータ線に対しては、
前記特定の走査線が連続して選択される期間に、非点灯電圧を、選択走査線に印加される選択電圧の極性に応じて、かつ、前記選択電圧の極性反転の周期毎に極性反転して供給するデータ線駆動回路とを具備することを特徴とする表示装置。
【請求項１２】
前記画素は、スイッチング素子と電気光学材料からなる容量素子とを含み、
１本の走査線に選択電圧が印加されると、当該走査線に属する画素のスイッチング素子が導通状態になって、当該スイッチング素子に対応する容量素子に、対応するデータ線に印加される点灯電圧に応じた書き込みが行われることを特徴とする請求項１１に記載の表示装置。
【請求項１３】
前記スイッチング素子は、二端子型スイッチング素子であり、前記画素は、走査線とデータ線との間において、前記二端子型スイッチング素子と前記容量素子とが直列接続されてなることを特徴とする請求項１２に記載の表示装置。
【請求項１４】
前記二端子型スイッチング素子は、前記走査線または前記データ線のいずれかに接続された導電体／絶縁体／導電体の構造を有することを特徴とする請求項１３に記載の表示装置。
【請求項１５】
請求項１１乃至１４のいずれかに記載の表示装置を備えることを特徴とする電子機器。
【発明の詳細な説明】
技術分野
本発明は、特定の走査線および特定のデータ線の交差に対応する画素のみを表示状態とする一方、それ以外の画素を非表示状態として、低消費電力化を図った表示装置の駆動方法、表示装置の駆動回路、表示装置および電子機器に関する。
背景技術
近年において、携帯電話のような携帯型電子機器に用いられる表示装置には、より多くの情報が表示できるように、表示ドット数が年々増加している。一方、携帯型電子機器は、電池駆動が原則であるため、低消費電力であることが強く求められている。このため、携型型電子機器に用いられる表示装置には、高解像度化と低消費電力化という一見すると相矛盾する２つの特性が求められている。
そこで、これを解決するために、次のような部分表示駆動（パーシャル駆動ともいわれる）と呼ばれる駆動方法が提案されている。すなわち、ここでいう部分表示駆動とは、待機時などのように、全画面表示が必要とされない場合に、図３１に示されるような表示を行うものであり、詳細には、特定の走査線にのみ走査信号を供給することによって、当該特定の走査線と交差する画素のみを表示領域とし、他の画素については非表示領域として、電力の消費を抑えるというものである。
しかしながら、このような部分表示駆動では、特定の走査線以外の走査線（非表示領域にかかる走査線）に対しては、データ線に供給されるデータ信号の電圧中間値に相当する電圧が印加されるが、このような駆動では、当該中間値に相当する電圧を別途生成する必要があるので、さらに、走査線を駆動する回路において、中間値に相当する電圧を別途選択する必要もあるので、走査線を駆動するための回路の構成が複雑化する、といった問題があった。
くわえて、このような部分表示駆動では、表示領域において、たとえ数文字程度のキャラクタを表示する場合であっても、キャラクタ表示以外の部分であって、キャラクタ表示部分と行成分が同じ部分の画素では、キャラクタ表示をしないにもかかわらず、表示領域に含まれることになる。そして、このような画素に対しては、対応するデータ線を介して、単に、非点灯電圧を供給するだけの構成では、当該データ線に印加される電圧の切り替わる頻度（切替頻度）が低減されないので、意外に低消費電力化を図ることができない、という問題もあった。
本発明は、このような事情に鑑みてなされたもので、その目的とするところは、低消費電力化、および、構成の簡略化が可能な表示装置の駆動方法、その駆動回路、表示装置および電子機器を提供することにある。
発明の開示
上記目的を達成するために本件の第１発明に係る表示装置の駆動方法にあっては、複数の走査線と複数のデータ線との各交差に対応して設けられた画素を駆動する表示装置の駆動方法であって、前記複数の走査線のうち特定の走査線と、前記複数のデータ線のうち特定のデータ線との交差に対応する画素を表示状態とし、それ以外の画素を非表示状態とする場合に、前記特定の走査線に対しては、１本の走査線を１水平走査期間毎に選択して、当該１水平走査期間を２分割した一方の期間にて、選択電圧を当該選択走査線に印加し、さらに、前記選択電圧の極性を、前記データ線に印加される点灯電圧および非点灯電圧の中間値を基準として、少なくとも２以上の水平走査期間毎に反転させ、前記特定の走査線以外の走査線に対しては、非選択電圧を、前記中間値を基準として１以上の垂直走査期間毎に極性反転して供給する一方、前記特定のデータ線に対しては、前記特定の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加し、前記特定のデータ線以外のデータ線に対しては、前記特定の走査線が連続して選択される期間に、非点灯電圧を、選択走査線に印加される選択電圧の極性に応じて、かつ、前記選択電圧の極性反転の周期毎に極性反転して供給することを特徴としている。
この駆動方法によれば、特定の走査線以外の走査線（非表示状態の画素領域にかかる走査線）の各々に対しては、非選択電圧が、中間値を基準として１以上の垂直走査期間毎に反転して供給されるので、電圧実効値がほぼゼロとなる。さらに、中間値に相当する電圧の信号を生成する必要もないし、選択する必要もないので、走査線を駆動するための回路の構成が簡略化することが可能となる。くわえて、１以上の垂直走査期間毎、より好ましくは１垂直走査期間よりも長い期間毎に電圧レベルが切り替わるので、当該走査線に供給される信号の周波数も低下する。このため、走査線を駆動するための回路において電圧切り替わりの動作に伴う電力消費が抑えられるとともに、走査線や駆動回路に付随する容量が電圧切り替わりによって充放電することで消費される電力も抑えられる。
また、特定の走査線（表示状態の画素領域にかかる走査線）には、１水平走査期間を２分割した一方の期間にて選択電圧が印加される。一方、特定のデータ線（表示状態の画素領域にかかるデータ線）には、１水平走査期間において、点灯電圧および非点灯電圧が略同一期間印加されるので、表示パターンに依存するクロストークの発生が抑えられることとなる。
さらに、特定のデータ線以外のデータ線（非表示状態の画素領域にかかるデータ線）には、特定の走査線が選択される１水平走査期間にわたって非点灯電圧が印加される。この際、走査線に印加される選択電圧は、２以上の水平走査期間毎に極性反転するので、非表示状態の画素領域にかかるデータ線に印加される非点灯電圧も、２以上の水平走査期間毎に切り替わりことになる。このため、非表示状態の画素領域とすべき画素のデータ線に印加される電圧の切替頻度が低減される結果、この切り替わりに伴って消費される電力分を抑えることが可能となる。
なお、本件における点灯電圧とは、ある１水平走査期間に着目した場合に、その一方の期間において印加される選択電圧の極性とは逆極性であるデータ信号の電圧をいい、また、非点灯電圧とは、同じくある１水平走査期間に着目した場合に、その一方の期間において印加される選択電圧の極性とは同一極性であるデータ信号の電圧をいう。
ここで、第１発明において、前記特定の走査線のうち、１本の走査線を選択するとき、１水平走査期間を２分割した後半期間にて選択電圧を当該選択走査線に印加し、次の１本の走査線を選択するとき、１水平走査期間を２分割した前半期間にて選択電圧を当該選択走査線に印加して、当該選択電圧を、１水平走査期間毎に一方の期間および他方の期間で交互に印加する方法が好ましい。このように選択電圧を、１水平走査期間毎に、一方の期間および他方の期間で交互に印加すると、表示状態の画素においてオフ表示またはオン表示のいずれかがデータ線の形成方向に連続する場合に、対応するデータ線に印加される電圧の切替頻度が低減されるので、その分、さらに消費電力を抑えることが可能となる。
さらに、第１発明において、前記特定のデータ線に対し、前記選択電圧を前記後半期間に印加するとき、当該後半期間の終点よりも、当．該選択走査線と当該特定のデータ線との交差に対応する画素の階調に応じた期間手前の時点から、当該後半期間の終点まで点灯電圧を印加し、その後半期間の残余期間では非点灯電圧を印加する一方、前記選択電圧を前記前半期間に印加するとき、当該前半期間の始点から、当該選択走査線と当該特定のデータ線との交差に対応する画素の階調に応じた期間まで、点灯電圧を印加し、その前半期間の残余期間では非点灯電圧を印加する方法が望ましい。この方法によれば、特定の走査線と特定のデータ線との交差に対応する画素において、いわゆる右寄変調法によって階調表示が行われると、その次に選択される特定の走査線と特定のデータ線との交差に対応する画素では、いわゆる左寄変調法によって階調表示が行われる。これにより、特定の走査線と特定のデータ線との交差に対応する画素において中間階調表示を行う場合であっても、当該特定のデータ線に印加される点灯電圧と非点灯電圧との切替頻度が低減されるので、切り替わりに伴って消費される電力を、さらに抑えることが可能となる。
ところで、第１発明において、非表示状態に属する走査線が選択されたとき、データ線の各々に対しては、消費電力を低く抑えるという観点のみを考慮すると、正極側電圧および負極側電圧の中間値に相当する信号を供給する方法が好ましい、と考えられる。しかしながら、この方法では、中間値に相当する電圧を別途生成する必要があるので、さらに、データ線を駆動する回路において正極側電圧および負極側電圧のほかに、これらの中間値に相当する電圧の信号を別途選択する必要があるので、そのための構成が複雑化する。そこで、第１発明においては、前記特定の走査線以外の走査線が連続して選択される期間に、前記データ線の各々に対して、前記中間値を基準とする正極側電圧および負極側電圧からなる信号を、その中間値を基準として１以上の水平走査期間毎に極性反転して供給する方法が好ましい、と考えられる。この方法によれば、非表示状態に属する走査線が選択されたときには、データ線の各々に対して、正極側電圧および負極側電圧からなる信号が、その中間値を基準として１以上の水平走査期間毎に反転して供給されるので、電圧実効値がほぼゼロとなる上、中間値に相当する電圧の信号を生成する必要もないし、選択する必要もない。このため、そのための構成を簡略化することが可能となる。さらに、データ線に供給される信号は、１以上の水平走査期間毎、より好ましくは１水平走査期間より長い期間毎に極性反転して、より長い周期でデータ線の供給電圧レベルをスイッチングする構成で足りるとともに、当該データ線を駆動する周波数も低下するので、データ線を駆動する回路における電圧の切り換え動作に伴う電力消費が抑えられるとともに、電圧の切り換えに伴なって回路や配線に付随する容量が充放電することで消費される電力も抑えられることになる。
なお、このような方法において、前記正極側電圧および負極側電圧からなる信号の極性反転周期は、前記特定の走査線以外の走査線の総数を、２以上の整数で割った略商分の水平走査期間にすると、極性反転周期が最長となるので、電圧の切り換え動作に伴って消費される電力や、電圧切り換えに伴って回路や配線に付随する容量が充放電することで消費される電力などが最も抑えられることとなる。
同様に、上記目的を達成するために本件の第２発明に係る表示装置の駆動回路にあっては、複数の走査線と複数のデータ線との各交差に対応して設けられた画素を駆動する表示装置の駆動回路であって、前記複数の走査線のうち特定の走査線と、前記複数のデータ線のうち特定のデータ線との交差に対応する画素を表示状態とし、それ以外の画素を非表示状態とする場合に、前記特定の走査線に対しては、１本の走査線を１水平走査期間毎に選択して、当該１水平走査期間を２分割した一方の期間にて、選択電圧を当該選択走査線に印加し、さらに、前記選択電圧の極性を、前記データ線に印加される点灯電圧および非点灯電圧の中間値を基準として、少なくとも２以上の水平走査期間毎に反転させる一方、前記特定の走査線以外の走査線に対しては、非選択電圧を、前記中間値を基準として１以上の垂直走査期間毎に極性反転して供給する走査線駆動回路と、前記特定のデータ線に対しては、前記特定の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加する一方、前記特定のデータ線以外のデータ線に対しては、前記特定の走査線が連続して選択される期間に、非点灯電圧を、選択走査線に印加される選択電圧の極性に応じて、かつ、前記選択電圧の極性反転の周期毎に極性反転して供給するデータ線駆動回路とを具備することを特徴としている。この構成によれば、上記第１の発明と同様に、走査側にあっては、走査線を駆動するための回路の構成を簡略化することが可能となり、また、データ側にあっては、非表示状態の画素領域にかかるデータ線に印加される電圧が、２以上の水平走査期間毎に切り替わりことになるので、切り替わりに伴って消費される電力を抑えることが可能となる。さらに、表示パターンに依存するクロストークの発生も抑えられる。
この第２発明において、前記走査線駆動回路は、前記特定の走査線のうち、１本の走査線を選択するとき、１水平走査期間を２分割した後半期間にて選択電圧を当該選択走査線に印加し、次の特定の走査線を選択するとき、１水平走査期間を２分割した前半期間にて選択電圧を当該選択走査線に印加して、当該選択電圧を、１水平走査期間毎に一方の期間および他方の期間で交互に印加する構成が好ましい。この構成によれば、表示領域の画素においてオフ表示またはオン表示のいずれかがデータ線の形成方向に連続する場合に、対応するデータ線に印加される電圧の切替頻度が低減されるので、その分、消費電力を抑えることが可能となる。
さらに、第２発明において、前記データ線駆動回路は、前記選択電圧が前記後半期間に印加されるとき、前記特定のデータ線に対し、当該後半期間の終点よりも、当該選択走査線と当該特定のデータ線との交差に対応する画素の階調に応じた期間手前の時点から、当該後半期間の終点まで点灯電圧を印加し、その後半期間の残余期間では非点灯電圧を印加する一方、前記選択電圧が前記前半期間に印加されるとき、前記特定のデータ線に対し、当該前半期間の始点から、当該選択走査線と当該特定のデータ線との交差に対応する画素の階調に応じた期間まで、点灯電圧を印加し、その前半期間の残余期間では非点灯電圧を印加する構成が望ましい。この構成によれば、特定の走査線と特定のデータ線との交差に対応する画素において中間階調表示を行う場合であっても、当該特定のデータ線に印加される点灯電圧と非点灯電圧との切替頻度が低減されるので、切り替わりに伴って消費される電力を、さらに抑えることが可能となる。
また、第２発明において、前記データ線駆動回路は、前記特定の走査線以外の走査線が連続して選択される期間に、前記データ線の各々に対して、前記中間値を基準とする正極側電圧および負極側電圧からなる信号を、その中間値を基準として１以上の水平走査期間毎に極性反転して供給する構成が好ましい。この構成によれば、データ線駆動回路の構成を簡略化することが可能となる上、電圧の切り換え動作に伴う電力消費が抑えられるとともに、電圧の切り換えに伴なって回路や配線に付随する容量が充放電することで消費される電力も抑えられることになる。
この際、前記正極側電圧および負極側電圧からなる信号の極性反転周期は、前記特定の走査線以外の走査線の総数を、２以上の整数で割った略商分の水平走査期間にすると、極性反転周期が最長となるので、電圧の切り換え動作に伴って消費される電力や、電圧切り換えに伴って回路や配線に付随する容量が充放電することで消費される電力などが最も抑えられることとなる。
同様に、上記目的を達成するために本件の第３発明に係る表示装置にあっては、複数の走査線と複数のデータ線との各交差に対応して設けられた画素を駆動する表示装置であって、前記複数の走査線のうち特定の走査線と、前記複数のデータ線のうち特定のデータ線との交差に対応する画素を表示状態とし、それ以外の画素を非表示状態とする場合に、前記特定の走査線に対しては、１本の走査線を１水平走査期間毎に選択して、当該１水平走査期間を２分割した一方の期間にて、選択電圧を当該選択走査線に印加し、さらに、前記選択電圧の極性を、前記データ線に印加される点灯電圧および非点灯電圧の中間値を基準として、少なくとも２以上の水平走査期間毎に反転させる一方、前記特定の走査線以外の走査線に対しては、非選択電圧を、前記中間値を基準として１以上の垂直走査期間毎に極性反転して供給する走査線駆動回路と、前記特定のデータ線に対しては、前記特定の走査線のうち、１本の走査線を選択する１水平走査期間にあって、当該選択走査線に選択電圧を印加する期間にて、当該選択走査線と当該特定のデータ線との交差に対応する画素で表示すべき内容に応じて点灯電圧を印加し、かつ、当該選択走査線を選択する１水平走査期間にわたって点灯電圧および非点灯電圧を互いに略同一期間印加する一方、前記特定のデータ線以外のデータ線に対しては、前記特定の走査線が連続して選択される期間に、非点灯電圧を、選択走査線に印加される選択電圧の極性に応じて、かつ、前記選択電圧の極性反転の周期毎に極性反転して供給するデータ線駆動回路とを具備することを特徴としている。この構成によれば、上記第１および第２の発明と同様に、走査側にあっては、走査線を駆動するための回路の構成を簡略化することが可能となり、また、データ側にあっては、非表示状態の画素領域にかかるデータ線に印加される電圧が、２以上の水平走査期間毎に切り替わりことになるので、切り替わりに伴って消費される電力を抑えることが可能となる。さらに、表示パターンに依存するクロストークの発生も抑えられる。
ここで、第３発明において、前記画素は、スイッチング素子と電気光学材料からなる容量素子とを含み、１本の走査線に選択電圧が印加されると、当該走査線に属する画素のスイッチング素子が導通状態になって、当該スイッチング素子に対応する容量素子に、対応するデータ線に印加される点灯電圧に応じた書き込みが行われる構成が好ましい。この構成によれば、スイッチング素子により選択画素と非選択画素とが電気的に分離されるので、コントラストやレスポンスなどが良好であり、かつ、高精細な表示が可能となる。
このようなスイッチング素子は、二端子型スイッチング素子であり、前記画素は、走査線とデータ線との間において、前記二端子型スイッチング素子と前記容量素子とが直列接続されてなる構成が好ましい。第３発明では、スイッチング素子として、トランジスタのような三端子型スイッチング素子を用いることも可能ではあるが、一方の基板において、走査線およびデータ線を交差させて形成する必要があるので、配線ショートの可能性が高まる点に難があり、また、製造プロセスも複雑化する。これに対して、二端子型スイッチング素子では、配線ショートが原理的に発生しない点で有利である。
さらに、このような二端子型スイッチング素子は、前記走査線または前記データ線のいずれかに接続された導電体／絶縁体／導電体の構造を有するのが望ましい。このうち、いずれかの導電体は、そのまま走査線またはデータ線として用いることが可能であり、また、絶縁体は、この導電体自体を酸化することで形成可能であるため、製造プロセスの簡略化が図られることとなる。
くわえて、上記目的を達成するために、本件の電子機器にあっては、上記表示装置を備えることを特徴としている。したがって、この電子機器にあっては、上述したように、クロストークの発生を抑えた上で、低消費電力化を図ることが可能となる。
発明を実施するための最良の形態
以下、本発明の実施の形態について図面を参照して説明する。
＜構成＞
はじめに、本発明の第１実施形態に係る表示装置の電気的構成について説明する。図１は、この表示装置の電気的な構成を示すブロック図である。この図に示されるように、液晶パネル１００には、複数のデータ線（セグメント電極）２１２が列（Ｙ）方向に延在して形成される一方、複数の走査線（コモン電極）３１２が行（Ｘ）方向に延在して形成されるとともに、データ線２１２と走査線３１２との各交差に対応して画素１１６が形成されている。さらに、各画素１１６は、液晶容量１１８と、スイッチング素子の一例であるＴＦＤ（Ｔｈｉｎ  Ｆｉｌｍ  Ｄｉｏｄｅ：薄膜ダイオード）２２０との直列接続からなる。このうち、液晶容量１１８は、後述するように、対向電極として機能する走査線３１２と画素電極との間に、電気光学材料の一例たる液晶を挟持した構成となっている。なお、本実施形態にあっては、説明の便宜上、走査線３１２の総数を２００本とし、データ線２１２の総数を１６０本として、２００行×１６０列のマトリクス型表示装置として説明するが、本発明をこれに限定する趣旨ではない。
次に、Ｙドライバ３５０は、一般には走査線駆動回路と呼ばれて、走査信号Ｙ１、Ｙ２、…、Ｙ２００を、それぞれ対応する走査線３１２に供給するものである。詳細には、本実施形態に係るＹドライバ３５０は、走査線３１２を１水平走査期間毎に１本ずつ順次選択して、その選択期間の後半期間において選択電圧を実際に印加し、選択期間の前半期間と非選択期間（保持期間）とにおいて非選択電圧（保持電圧）を印加する、というものである。
また、Ｘドライバ２５０は、一般には、データ線駆動回路と呼ばれて、Ｙドライバ３５０により選択された走査線３１２に位置する画素１１６に対し、データ信号Ｘ１、Ｘ２、…、Ｘ１６０を、表示内容に応じてそれぞれ対応するデータ線２１２を介して供給する、というものである。なお、Ｘドライバ２５０およびＹドライバ３５０の詳細構成については後述することとする。
一方、制御回路４００は、Ｘドライバ２５０およびＹドライバ３５０に対して、後述する各種制御信号やクロック信号などを供給して、両者を制御するものである。また、駆動電圧形成回路５００は、データ信号と走査信号のうちの非選択電圧とで兼用される電圧±ＶＤ／２と、走査信号のうちの選択電圧として用いられる電圧±ＶＳとをそれぞれ生成するものである。ここで、本実施形態では、データ信号と非選択電圧とを兼用する構成とするが、これらの電圧を異ならせても良い。また、電源回路６００は、制御回路４００や駆動電圧形成回路５００に電源を供給するものである。
なお、本実施形態において、走査線３１２やデータ線２１２に印加される電圧の極性は、データ線２１２に印加される電圧±ＶＤ／２の中間電圧を基準として高電位側を正極とし、低電位側を負極としている。
＜機械的構成＞
次に、本実施形態に係る表示装置のうち、液晶パネル１００の機械的な構成について説明する。図２は、液晶パネル１００の全体構成を示す斜視図であり、図３は、この液晶パネル１００をＸ方向に沿って破断した場合の構成を示す部分断面図である。
これらの図に示されるように、液晶パネル１００は、観察者側に位置する対向基板３００と、その背面側に位置する素子基板２００とが、スペーサを兼ねる導電性粒子（導通材）１１４の混入されたシール材１１０によって一定の間隙を保って貼り合わせられるとともに、この間隙に例えばＴＮ（Ｔｗｉｓｔｅｄ  Ｎｅｍａｔｉｃ）型の液晶１６０が封入された構成となっている。なお、シール材１１０は、図２に示されるように、対向基板３００の内周縁に沿っていずれか一方の基板に枠状に形成されるが、液晶１６０を封入するために、その一部が開口している。このため、液晶の封入後に、その開口部分が封止材１１２によって封止された構成となっている。
さて、対向基板３００の対向面には、行（Ｘ）方向に延在して形成される走査線３１２のほか、配向膜３０８が形成されて、ラビング処理が所定の方向に施されている。ここで、対向基板３００に形成された走査線３１２は、図３に示されるように、シール材１１０中の導電性粒子１１４を介し、各走査線３１２と１対１に対応する配線３４２であって、素子基板２００に形成された配線３４２の一端に接続されている。すなわち、対向基板３００に形成された走査線３１２は、導電性粒子１１４および配線３４２を介して、素子基板２００側に引き出された構成となっている。一方、対向基板３００の外側（観察側）には偏光子１３１が貼り付けられて（図２では省略）、その吸収軸が、配向膜３０８へのラビング処理の方向に対応して設定されている。
また、素子基板３００の対向面には、Ｙ（列）方向に延在して形成されるデータ線２１２に隣接して矩形状の画素電極２３４が形成されるほか、配向膜２０８が形成されて、ラビング処理が所定の方向に施されている。一方、素子基板２００の外側（観察側の反対側）には偏光子１２１が貼り付けられて（図２では省略）、その吸収軸が、配向膜２０８へのラビング処理の方向に対応して設定されている。このほかに、素子基板２００の外側には、均一に光を照射するバックライトユニットが設けられるが、本件とは直接に関係しないので、図示を省略している。
続いて表示領域外について説明すると、図２に示されるように、素子基板２００にあって対向基板３００から張り出した２辺には、走査線３１２を駆動するためのＹドライバ３５０、および、データ線２１２を駆動するためのＸドライバ２５０が、それぞれＣＯＧ（Ｃｈｉｐ  Ｏｎ  Ｇｌａｓｓ）技術により実装されている。これにより、Ｙドライバ３５０は、配線３４２および導電性粒子１１４を介し、走査線３１２に走査信号を間接的に供給する一方、Ｘドライバ２５０は、データ線２１２にデータ信号を直接的に供給する構成となっている。
また、Ｘドライバ２５０が実装される領域の外側近傍には、ＦＰＣ（Ｆｌｅｘｉｂｌｅ  Ｐｒｉｎｔｅｄ  Ｃｉｒｃｕｉｔ）基板１５０が接合されて、制御回路４００や駆動電圧形成回路５００（ともに図１参照）による各種信号や電圧信号を、Ｙドライバ３５０およびＸドライバ２５０にそれぞれ供給する構成となっている。
なお、図１におけるＸドライバ２５０およびＹドライバ３５０は、図２とは異なり、それぞれ液晶パネル１００の左側および上側にそれぞれ位置しているが、これは電気的な構成を説明するための便宜上の措置に過ぎない。また、Ｘドライバ２５０およびＹドライバ３５０を、それぞれ素子基板２００にＣＯＧ実装する替わりに、例えば、ＴＡＢ（Ｔａｐｅ  Ａｕｔｏｍａｔｅｄ  Ｂｏｎｄｉｎｇ）技術を用いて、各ドライバが実装されたＴＣＰ（Ｔａｐｅ  Ｃａｒｒｉｅｒ  Ｐａｃｋａｇｅ）を、基板の所定位置に設けられる異方性導電膜により電気的および機械的に接続する構成としても良い。
＜液晶パネルの詳細構成＞
次に、液晶パネル１００における画素１１６の詳細構成について説明する。図４は、その構造を示す部分破断斜視図である。なお、この図では、説明理解のために、図３における配向膜２０８、３０８および偏光子１２１、１３１が省略されている。
さて、図４に示されるように、素子基板２００の対向面には、ＩＴＯ（Ｉｎｄｉｕｍ  Ｔｉｎ  Ｏｘｉｄｅ）などの透明導電体からなる矩形状の画素電極２３４がマトリクス状に配列しており、このうち、同一列に配列する２００個の画素電極２３４が、１本のデータ線２１２に、それぞれＴＦＤ２２０を介して共通接続されている。ここで、ＴＦＤ２２０は、基板側からみると、タンタル単体やタンタル合金などから形成され、かつ、データ線２１２からＴ字状に枝分かれした第１の導電体２２２と、この第１の導電体２２２を陽極酸化してなる絶縁体２２４と、クロム等などの第２の導電体２２６とから構成されて、導電体／絶縁体／導電体のサンドイッチ構造を採る。このため、ＴＦＤ２２０は、電流−電圧特性が正負双方向にわたって非線形となるダイオードスイッチング特性を有することになる。
また、素子基板２００の上面に形成された絶縁体２０１は、透明性および絶縁性を有するものである。この絶縁体２０１が形成される理由は、第２の導電体２２６の堆積後における熱処理により、第１の導電体２２２が剥離しないようにするため、および、第１の導電体２２２に不純物が拡散しないようにするため、である。したがって、これらが問題とならない場合には、絶縁体２０１は省略可能である。
一方、対向基板３００の対向面には、ＩＴＯなどからなる走査線３１２が、データ線２１２とは直交する行方向に延在し、かつ、画素電極２３４の対向する位置に配列している。これにより、走査線３１２は、画素電極２３４の対向電極として機能することになる。したがって、図１における液晶層１１８は、データ線２１２と走査線３１２との交差において、当該走査線３１２と、画素電極２３４と、両者の間に位置する液晶１６０とで構成されることになる。
ほかに、対向基板３００には、液晶パネル１００の用途に応じて、例えば、ストライプ状や、モザイク状、トライアングル状等に配列されたカラーフィルタが設けられ、それ以外の領域には、画素間の混色を防止や遮光のために、ブラックマトリクスが設けられるが、本件とは直接関連しないので、説明を省略することにする。
＜駆動＞
ところで、上述した構成の画素１１６における１個分は、図２３（ａ）に示されるような等価回路で表すことができる。すなわち、一般的に、ｊ（ｊは、１≦ｊ≦２００の整数）行目の走査線３１２と、ｉ（ｉは、１≦ｉ≦１６０の整数）列目のデータ線２１２との交差に対応する画素１１６は、同図に示されるように、抵抗ＲＴおよび容量ＣＴの並列回路で示されるＴＦＤ２２０と、抵抗ＲＬＣおよび容量ＣＬＣの並列回路で示される液晶層１１８との直列回路により表すことができる。
ここで、一般的な駆動方法たる４値駆動法（１Ｈセレクト、１Ｈ反転）について説明する。図２４は、この４値駆動法（１Ｈセレクト、１Ｈ反転）において、ｊ行ｉ列の画素１１６に印加される走査信号Ｙｊおよびデータ信号Ｘｉの波形例を示す図である。この駆動法では、走査信号Ｙｊとして、１水平走査期間１Ｈに選択電圧＋ＶＳを印加した後、保持期間に非選択電圧＋ＶＤ／２を印加して保持するとともに、前回の選択から１垂直走査期間（１フレーム）１Ｖ経過すると、今度は選択電圧−ＶＳを印加して、保持期間に非選択電圧−ＶＤ／２を印加して保持する、という動作を繰り返す一方、データ信号Ｘｉとして電圧±ＶＤ／２のいずれかを印加する、というものである。この際、ある走査線への走査信号Ｙｊとして選択電圧＋ＶＳを印加すると、その次の走査線への走査信号Ｙｊ＋１として選択電圧−ＶＳを印加する、というように１水平走査期間１Ｈ毎に、選択電圧の極性を反転する動作も行われる。
この４値駆動法（１Ｈセレクト、１Ｈ反転）におけるデータ信号Ｘｉの電圧は、選択電圧＋ＶＳを印加する場合であって、画素１１６をオン表示（例えば、ノーマリーホワイトモードにおいては黒色表示）とするときには−ＶＤ／２となり、画素１１６をオフ表示（ノーマリーホワイトモードにおいては白色表示）とするときには＋ＶＤ／２となる一方、選択電圧−ＶＳを印加する場合であって、画素１１６をオン表示とするときには＋ＶＤ／２となり、画素１１６をオフ表示とするときには−ＶＤ／２となる。
ところで、この４値駆動法（１Ｈセレクト、１Ｈ反転）では、例えば、図２５に示されるように、表示画面１００ａにおける一部の領域Ａでは１行毎の白色および黒色からなるゼブラ表示とし、それ以外の領域では単なる白色表示とする場合に、クロストーク、すなわち濃淡差を伴う白色表示が、領域Ａに対してＹ方向に発生する、という問題が知られている。
この理由を簡単に説明すれば次のような理由による。すなわち、領域Ａにおいてゼブラ表示を行うと、領域Ａにかかるデータ線へのデータ信号においては、電圧±ＶＤ／２の切替周期が走査信号の反転周期と一致してしまうので、そのデータ信号の電圧は、領域Ａにかかる走査線が選択される期間にわたって、±ＶＤ／２のいずれか一方に固定されてしまう。これを、領域Ａに対してＹ方向に隣接する領域の画素からみれば、保持期間の一部期間における電圧が一方に固定化されることを意味する。一方、相隣接する走査線での選択電圧は、上述したように互いに反対極性である。したがって、領域Ａに対しＹ方向に隣接する領域において、保持期間の一部期間で印加される電圧実効値は、奇数行に位置する画素１１６と奇数行に位置する画素１１６とにおいて異なってしまう。この結果、領域Ａに対してＹ方向に隣接する領域において、奇数行の画素１１６と偶数行の画素１１６とにおいて濃度差が生じて、上述したようなクロストークが発生してしまうのである。
そこで、このクロストークの問題を解消するために、４値駆動法（１／２Ｈセレクト、１Ｈ反転）という駆動方法が用いられる。この４値駆動法（１／２セレクト、１Ｈ反転）は、図２６に示されるように、４値駆動法（１Ｈセレクト、１Ｈ反転）における１水平走査期間１Ｈを２分割して前半期間と後半期間とに分け、このうち例えば後半期間１／２Ｈにおいて走査線に選択電圧を印加するとともに、１水平走査期間１Ｈにわたって、データ信号に電圧−ＶＤ／２と＋ＶＤ／２とを印加する期間の割合をそれぞれ５０％としたものである。この４値駆動法（１／２Ｈセレクト、１Ｈ反転）によれば、いかなるパターンを表示させたとしても、データ信号Ｘｉにおいて、電圧−ＶＤ／２の印加期間と電圧＋ＶＤ／２の印加期間とが互いに半分ずつとなるので、上述したクロストークの発生が防止されることとなる。
さて、本実施形態に係る表示装置において、走査線３１２の総数は２００本であるから、１垂直走査期間１Ｖにおける保持期間（非選択期間）は、１水平走査期間１Ｈの１９９倍である１９９Ｈの期間となる。この保持期間では、ＴＦＤ２２０がオフとなるから、その抵抗ＲＴは十分に大きく、また、液晶層１１８の抵抗ＲＬＣは、ＴＦＤ２２０のオンオフにかかわらず十分に大きい。このため、保持期間における画素１１６の等価回路は、図２３（ｂ）に示されるように、容量ＣＴおよび容量ＣＬＣの直列合成容量からなる容量ＣＰＩＸで表すことができる。ここで、容量ＣＰＩＸは、（ＣＴ・ＣＬＣ）／（ＣＴ＋ＣＬＣ）である。
いま、液晶パネル１００において、例えば図５に示されるように、上から数えて４１行目〜６０行目の走査線３１２と、左から数えて４１列目〜８０列目のデータ線２１２との交差に対応する画素のみを表示領域とする一方、それ以外の画素を非表示領域とする場合について考えてみる。
この場合、単純には、第１に、順番に１本ずつの走査線３１２を選択し、その選択走査線が表示領域に属するのであれば、当該走査線に選択電圧を含む走査信号を印加し、非表示領域に属するのであれば、当該走査線にデータ電圧±ＶＤ／２の中間電圧たるゼロ電圧を印加する一方、第２に、表示領域に属するデータ信号Ｘ４１〜Ｘ８０については、４１行目〜６０行目の走査線３１２が選択されたときに、当該表示領域で表示すべき内容に応じたものとし、１行目〜４０行目および６１行目〜２００行目の走査線３１２が選択されたときにゼロ電圧とし、また、第３に、非表示領域に属するデータ信号Ｘ１〜Ｘ４０およびＸ８１〜Ｘ１６０については、４１行目〜６０行目の走査線３１２が選択されたときに、オフ（白色）表示に対応するものとし、１行目〜４０行目および６１行目〜２００行目の走査線３１２が選択されたときにゼロ電圧とする方法が考えられる。
ただし、この方法にあっては、表示領域に属する走査線３１２が選択される期間において、非表示領域の画素容量ＣＬＣでは、頻繁に充放電が行われるので、電力の消費を大して抑えることができない。この点について詳述すると、例えば、図２７に示されるように、表示領域に属する走査線３１２への走査信号Ｙｊ（ここでは４１行目〜６０行目の走査線への走査信号Ｙ４１〜Ｙ６０）の非選択電圧が例えば＋ＶＤ／２に保持されているとき、非表示領域に属するデータ線２１２へのデータ信号Ｘｉ（ここでは１列目〜４０列目および８１列目〜１６０列目のデータ線へのデータ信号Ｘ１〜Ｘ４０およびＸ８１〜Ｘ１６０）をオフ表示に対応するものとすると、当該データ信号は、１水平走査期間１Ｈの半分期間（１／２Ｈ）毎に、電圧＋ＶＤ／２および−ＶＤ／２に交互に切り替えられるので、これらに対応する画素容量ＣＬＣは、１水平走査期間１Ｈに２回の割合で充放電が行われることになる。
したがって、この方法では、表示領域に属する走査線が走査（選択）される期間においては、非表示領域であっても、１つの画素１１６についてみれば、保持（非選択）期間における電圧切り替わりにより、ＣＰＩＸ・ＶＤの電荷が供給される結果、画素１１６における容量負荷によって電力が消費されてしまうことになる。
そしてなによりも、このような方法では、選択電圧±ＶＳと、非選択電圧を兼用するデータ電圧±ＶＤ／２とのほかに、別途ゼロ電圧を生成・選択する必要があるので、それだけ、電圧形成回路５００、Ｘドライバ２５０およびＹドライバ３５０の構成が複雑化する。
そこで、本実施形態に係る表示装置は、第１に、順番に１本ずつの走査線３１２を選択し、その選択走査線が表示領域に属するのであれば、当該走査線に選択電圧を含む走査信号を印加し、非表示領域に属するのであれば、当該走査線に非選択電圧を印加して、その極性を１以上の垂直走査期間毎に交互に切り替え、第２に、表示領域に属する走査線３１２が選択される期間において、選択電圧の極性反転周期を２以上の水平走査期間にするとともに、非表示領域に属するデータ線２１２のデータ信号を、１水平走査期間にわたってオフ（白色）表示に対応する電圧に維持して、非表示領域にかかるデータ信号の電圧切替頻度を低減させ、第３に、非表示領域に属する走査線３１２が選択される期間において、非表示領域に属するデータ線２１２のデータ信号の極性を、所定の周期毎に切り替えることにより、非表示領域の画素において消費される電力を抑える構成とした。以下、このような駆動を行うための回路について説明する。
＜制御回路＞
まず、図１における制御回路４００は、次に説明するような、制御信号やクロック信号などの各種制御信号を生成する。第１に、開始パルスＹＤは、図７に示されるように、１垂直走査期間（１フレーム）の最初に出力されるパルスである。第２に、クロック信号ＹＣＬＫは、走査線側の基準信号であり、図７に示されるように、１水平走査期間に相当する１Ｈの周期を有する。第３に、交流駆動信号ＭＹは、走査信号における選択電圧の極性を規定するための信号であり、図７に示されるように、２水平走査期間２Ｈ毎に信号レベルが反転し、かつ、同じ２本の走査線が選択される２水平走査期間２Ｈにおいては１垂直走査期間毎に信号レベルが反転する。第４に、制御信号ＩＮＨは、１水平走査期間１Ｈにおける選択電圧の印加期間を規定するための信号であり、本実施形態では、図７に示されるように、クロック信号ＹＣＬＫと同一周期を有するとともに、１水平走査期間１Ｈの後半期間１／２ＨにおいてＨレベルアクティブとなる。
第５に、部分表示制御信号ＰＤｙは、部分表示を行う場合に、表示領域に含まれる走査線３１２が選択される期間だけＨレベルとなり、それ以外の期間ではＬレベルとなる信号である。すなわち、図５に示されるような部分表示を行う場合には、図８に示されるように、表示領域に属する４１行目〜６０行目の走査線３１２が選択される期間（走査信号Ｙ４１〜Ｙ６０に選択電圧が印加される期間）においてのみ、Ｈレベルとなり、非表示領域に属する１行目〜４０行目および６１行目〜２００行目の走査線３１２が選択される期間（走査信号Ｙ１〜Ｙ４１およびＹ６１〜Ｙ２００に選択電圧が印加される期間）においては、Ｌレベルとなる。したがって、部分表示制御信号ＰＤｙは、部分表示を行わない場合には、常時Ｈレベルとなる。
第６に、ラッチパルスＬＰａは、図１２に示されるように、交流駆動信号ＭＹの論理レベルが遷移するタイミングにて、すなわち、２水平走査期間２Ｈ毎に出力されるパルスである。第７に、ラッチパルスＬＰは、データ線側の基準信号であり、図１２に示されるように、１水平走査期間１Ｈの最初に出力される。第８に、リセット信号ＲＥＳは、図１２に示されるように、データ線側において１水平走査期間の前半期間の最初および後半期間の最初にそれぞれ出力されるパルスである。
第９に、交流駆動信号ＭＸは、データ信号においてオン表示とする場合の極性を規定するための信号であり、その論理レベルは、図１２に示されるように、制御信号ＩＮＨがＨレベルである場合（選択電圧が実際に印加されるべき期間）には、交流駆動信号ＭＹをレベル反転したものとなる一方、制御信号ＩＮＨがＬレベルである場合には、交流駆動信号ＭＹのレベルを維持したものである。
第１０に、階調コードパルスＧＣＰは、図１２に示されるように、１水平走査期間１Ｈを分割した前半期間・後半期間の各終点から手前側にあって中間階調のレベルに応じた期間の位置にそれぞれ配列するパルスである。ここで、本実施形態では、画素の濃度を指示する階調データＤｎが２ビットで表されて４階調表示を行うものとし、このうち、階調データＤｎの（００）がオフ（白色）表示を指示する一方、（１１）がオン（黒色）表示を指示するものとすると、階調コードパルスＧＣＰは、前半期間・後半期間の各々において、白色または黒色を除く灰色の（０１）、（１０）の２個に対応するパルスが、その中間階調レベルに対応して配列したものとなっている。詳細には、階調データの（０１）および（１０）は、図１２において階調コードパルスＧＣＰの「１」および「２」にそれぞれ対応している。なお、図１２において、階調コードパルスＧＣＰは、実際には、画素の印加電圧−濃度特性（Ｖ−Ｉ特性）にしたがって設定される。
第１１に、部分表示制御データＰＤｘは、部分表示を行う場合に、非表示に属するデータ線２１２を特定するデータであり、例えば、図５に示されるような部分表示であれば、１列目〜４０列目および８１列目〜１６０列目のデータ線２１２を特定するデータである。
＜Ｙドライバの詳細構成＞
次に、Ｙドライバ３５０の詳細について説明する。図６は、このＹドライバ３５０の構成を示すブロック図である。この図において、シフトレジスタ３５０２は、走査線３１２に総数に対応する２００ビットシフトレジスタであり、１垂直走査期間の最初に供給される開始パルスＹＤを、１水平走査期間１Ｈの周期を有するクロック信号ＹＣＬＫにしたがってシフトして、転送信号ＹＳ１、ＹＳ２、…、ＹＳ２００として順次出力するものである。ここで、転送信号ＹＳ１、ＹＳ２、…、ＹＳ２００は、それぞれ１行目、２行目、…、２００行目の走査線３１２にそれぞれ１対１に対応するものであって、いずれかの転送信号がＨレベルになると、それに対応する走査線３１２を選択すべきであることを意味するものである。
続いて、電圧選択信号形成回路３５０４は、交流駆動信号ＭＹ、制御信号ＩＮＨおよび部分表示制御信号ＰＤｙから、走査線３１２に印加すべき電圧を定める電圧選択信号を、走査線３１２毎に対応して出力するものである。ここで、本実施形態において、走査線３１２に印加される走査信号の電圧は、上述したように＋ＶＳ（正極側選択電圧）、＋ＶＤ／２（正極側非選択電圧）、−ＶＳ（負極側非選択電圧）、−ＶＤ／２（負極側選択電圧）の４値であり、このうち、選択電圧＋ＶＳまたは−ＶＳが実際に印加される期間は、１水平走査期間の後半期間１／２Ｈである。さらに、非選択電圧は、選択電圧＋ＶＳが印加された後では＋ＶＤ／２であり、選択電圧−ＶＳが印加された後では−ＶＤ／２であって、直前の選択電圧により一義的に定まっている。
このため、部分表示制御信号ＰＤｙがＨレベルである場合、電圧選択信号形成回路３５０４は、走査信号の電圧レベルが次のような関係となるように、電圧選択信号を生成する。すなわち、転送信号ＹＳ１、ＹＳ２、…、ＹＳ２００のいずれかＨレベルになって、それに対応する走査線３１２の選択が指示されると、電圧選択信号形成回路３５０４は、当該走査線３１２への走査信号の電圧レベルを、第１に、制御信号ＩＮＨがＨレベルとなる期間において、交流駆動信号ＭＹの信号レベルに対応した極性の選択電圧とし、第２に、制御信号ＩＮＨがＬレベルに遷移すると、当該選択電圧に対応する非選択電圧となるように電圧選択信号を生成する。具体的には、電圧選択信号形成回路３５０４は、制御信号ＩＮＨがＨレベルとなる期間において、交流駆動信号ＭＹがＨレベルであれば正極側選択電圧＋ＶＳを選択させる電圧選択信号を当該期間に出力し、この後、正極側非選択電圧＋ＶＤ／２を選択させる電圧選択信号を出力する一方、交流駆動信号ＭＹがＬレベルであれば負極側選択電圧−ＶＳを選択させる電圧選択信号を当該期間に出力し、この後、負極側非選択電圧−ＶＤ／２を選択させる電圧選択信号を出力することとなる。
一方、本実施形態において、非表示領域に属する走査線３１２に印加される走査信号の電圧は、非選択電圧±ＶＤ／２の２値である。このため、部分表示制御信号ＰＤｙがＬレベルである場合、電圧選択信号形成回路３５０４は、走査信号の電圧レベルが次のような関係となるように、電圧選択信号を生成する。すなわち、第１に、ある走査線に対応する転送信号がＨレベルになって、当該走査線が選択されるとともに、制御信号ＩＮＨがＨレベルとなって、１水平走査期間の後半期間が選択されると、正極側非選択電圧＋ＶＤ／２または負極側非選択電圧−ＶＤ／２ＶＨＮの一方から他方への反転するように、電圧選択信号形成回路３５０４は電圧選択信号を生成する。
このように、電圧選択信号形成回路３５０４は、部分表示制御信号ＰＤｙのレベルに応じた電圧選択信号の生成を、２００本の走査線３１２の各々に対応して実行する。
そして、レベルシフタ３５０６は、電圧選択信号形成回路３５０４によって出力される電圧選択信号の電圧振幅を拡大するものである。そして、セレクタ３５０８は、電圧振幅が拡大された電圧選択信号によって指示される電圧を、実際に選択して、対応する走査線３１２の各々に印加するものである。
＜走査信号の電圧波形＞
次に、上記構成のＹドライバ３５０によって供給される走査信号の電圧波形について検討する。まず、説明の便宜上、全画面を表示領域とする場合、すなわち、部分表示制御信号ＰＤｙが常にＨレベルである場合を想定する。この場合、走査信号の電圧波形は、図７に示される通りとなる。すなわち、開始パルスＹＤが、クロック信号ＹＣＬＫにより１水平走査期間１Ｈ毎に順次シフトされて、これが転送信号ＹＳ１、ＹＳ２、…、ＹＳ２００として出力されるとともに、制御信号ＩＮＨにより１水平走査期間１Ｈの後半期間１／２Ｈが選択され、さらに、当該後半期間における交流駆動信号ＭＹのレベルに応じて走査信号の選択電圧が定められる結果、１本の走査線に供給される走査信号の電圧は、当該走査線が選択される１水平走査期間１Ｈの後半期間１／２Ｈにおいて、交流駆動信号ＭＹが例えばＨレベルであれば正極側選択電圧＋ＶＳとなり、その後、当該選択電圧に対応する正極側非選択電圧＋ＶＤ／２を保持する。そして、１フレーム経過して、１水平走査期間の後半期間においては、交流駆動信号ＭＹのレベルが反転してＬレベルとなるので、当該走査線に供給される走査信号の電圧は、負極側選択電圧−ＶＳとなり、その後、当該選択電圧に対応する負極側非選択電圧−ＶＤ／２を保持することになる。
例えば、ある第ｎフレームにおいて１行目の走査線３１２への走査信号Ｙ１の電圧は、図７に示されるように、当該水平走査期間の後半期間に正極側選択電圧＋ＶＳとなり、その後、正極側非選択電圧＋ＶＤ／２を保持し、次の１水平走査期間の後半期間においては、交流駆動信号ＭＹのレベルが前回選択とは反転したＬレベルになるので、当該走査線への走査信号Ｙ１の電圧は、負極側選択電圧−ＶＳとなり、その後、負極側非選択電圧−ＶＤ／２を保持する、というサイクルの繰り返しとなる。
また、交流駆動信号ＭＹは、２水平走査期間２Ｈ毎に信号レベルが反転するので、各走査線３１２に供給される走査信号の電圧は、２水平走査期間２Ｈ毎に、すなわち、２本毎に交互に極性が反転する関係となる。例えば、図７に示されるように、ある第ｎフレームにおいて、１行目の走査信号Ｙ１の選択電圧、および、２行目の走査信号Ｙ２の選択電圧は、ともに正極側選択電圧＋ＶＳとなり、さらに、これに続く３行目の走査信号Ｙ３の選択電圧、および、４行目の走査信号Ｙ４の選択電圧は、ともに負極側選択電圧−ＶＳとなる。
次に、部分表示を行う場合における走査信号について検討する。ここでは、例として、図５に示されるような部分表示を行う場合について想定する。部分表示の場合においても、開始パルスＹＤが、クロック信号ＹＣＬＫにより１水平走査期間１Ｈ毎に順次シフトされて、これが転送信号ＹＳ１、ＹＳ２、…、ＹＳ２００として出力される点は、全画面表示の場合と同様である。ただし、部分表示制御信号ＰＤｙは、１垂直走査期間（１Ｖ）のうち、１行目〜４０行目、および、６１行目〜２００行目の走査線が選択される期間においてＬレベルとなるので、図８に示されるように、ある１フレームの６１番目の水平走査期間から、次のフレームの４０番目の水平走査期間まで、計１８０水平走査期間において連続してＬレベルとなる。このため、当該１８０水平走査期間において、当該走査線に対応する転送信号ＹＳ１〜ＹＳ４０およびＹＳ６１〜ＹＳ２００がＨレベルに遷移するとともに、制御信号ＩＮＨがＨレベルとなると、１行目〜４０行目および６１行目〜２００行目の走査線に供給される走査信号の電圧は、非選択電圧＋ＶＤ／２から−ＶＤ／２に、または、非選択電圧−ＶＤ／２から＋ＶＤ／２に切り替えられることとなる。
一方、部分表示制御信号ＰＤｙは、１垂直走査期間のうち、４１行目〜６０行目の走査線が選択される計２０水平走査期間においてはＨレベルとなるから、当該２０水平走査期間にあって、４１行目〜６０行目の走査線に供給される走査信号Ｙ４１〜Ｙ６０に限って言えば、全画面表示の場合と同様となる。
したがって、図５に示されるような部分表示を行う場合の走査信号、特に、非表示領域と表示領域との境界付近の走査線に供給される走査信号は、図７に示される通りとなる。すなわち、非表示領域たる１行目〜４０行目の走査線および６１行目〜２００行目の走査線への走査信号Ｙ１〜Ｙ４０およびＹ６１〜Ｙ２００は、対応する走査線が選択される１水平走査期間の中間時点において、それぞれ非選択電圧＋ＶＤ／２、−ＶＤ／２の一方から他方に切り替えられる。このため、本実施形態にあっては、非表示領域への走査信号では非選択電圧が印加され、その極性は、１垂直走査期間（フレーム）毎に反転されることとなる。
ここで、低消費電力化を図るという観点のみから言えば、非表示領域への走査信号は、データ信号として印加される電圧＋ＶＤ／２、−ＶＤ／２の中間電圧たるゼロ電圧とする構成が望ましいが、この構成では、駆動電圧形成回路５００（図１参照）が、別途中間電圧を形成する必要があるだけでなく、電圧選択信号形成回路３５０４（図４参照）による電圧選択信号においてもビット数が余計に必要となり、さらに、セレクタ３５０８の選択範囲が広がってしまうので、構成が複雑化する。これに対し本実施形態によれば、構成そのものは、全画面表示のみを行う従来の構成と大差ないので、構成の複雑化は防止される。その上で、非選択領域への走査信号は、非選択電圧という低い電圧を、１垂直走査期間に相当する１Ｖという極めて長い間隔でスイッチングするだけであるので、部分表示を行う場合において、Ｙドライバ３５０により消費される電力を、データ信号の中間電圧を供給する構成並に低く抑えることが可能となる。
なお、非選択電圧のスイッチング間隔は、本実施形態では、１垂直走査期間に相当する１Ｖという期間であったが、それよりも長い間隔とする方が、スイッチングに伴う電力消費が抑えられる。このため、非選択電圧のスイッチング間隔は、図９に示されるように、２垂直走査期間に相当する２Ｖとしても良いし、それ以上の期間でも良い。ただし、非表示領域への走査信号を、非選択電圧＋ＶＤ／２、−ＶＤ／２の一方に固定するのは、交流駆動を前提とする表示装置においては好ましくない。
＜Ｘドライバの詳細構成＞
次に、Ｘドライバ２５０の詳細について説明する。図１０は、このＸドライバ２５０の構成を示すブロック図である。この図において、アドレス制御回路２５０２は、階調データの読み出しに用いる１行分のアドレスＲａｄを生成するものであり、当該アドレスＲａｄを、１垂直走査期間の最初に供給される開始パルスＹＤによりリセットするとともに、１水平走査期間毎に供給されるラッチパルスＬＰで歩進させる構成となっている。ただし、部分表示制御信号ＰＤｙがＬレベルとなると、アドレス制御回路２５０２は、行アドレスＲａｄの出力を禁止する。
続いて、表示データＲＡＭ２５０４は、２００行×１６０列の画素に対応する領域を有するデュアルポートＲＡＭであり、書き込み側では、図示しない処理回路から供給される階調データＤｎを、書込アドレスＷａｄにしたがった番地に書き込む一方、読み出し側では、アドレスＲａｄで指定された番地の階調データＤｎの１行分（１６０個）を、一括して読み出す構成となっている。なお、部分表示制御信号ＰＤｙがＬレベルである場合、行アドレスＲａｄの出力が禁止されるので、階調データＤｎが、表示データＲＡＭ２５０４から読み出されることはない。
次に、ＰＷＭデコーダ２５０６は、データ信号Ｘ１、Ｘ２、……、Ｘ１６０の電圧をそれぞれ選択するための電圧選択信号を、読み出された１行分の階調データＤｎに応じて、リセット信号ＲＥＳや、交流駆動信号ＭＸ、ＭＹ、階調コードパルスＧＣＰ等から生成するものである。
ここで、本実施形態において、データ線２１２に印加されるデータ信号の電圧は、＋ＶＤ／２または−ＶＤ／２のいずれかであり、また、階調データＤｎは、上述したように本実施形態では２ビット（４階調）である。このため、ＰＷＭデコーダ２５０６は、部分表示制御信号ＰＤｙがＨレベルである場合に、読み出された１行分の階調データＤｎの各々に対し、データ信号の電圧レベルが次のような関係となるように、電圧選択信号を生成する。
すなわち、ＰＷＭデコーダ２５０６は、１個の階調データＤｎに着目した場合に、当該階調データがオン表示およびオフ表示以外の中間階調（灰色）表示を指示するものであれば、電圧選択信号を、第１に、ラッチパルスＬＰａの立ち上がりにおいて、交流駆動信号ＭＸの論理レベルで示される直前極性とは反対側の極性となるようにリセットし、第２に、階調コードパルスＧＣＰのうち、当該階調データＤｎに対応するものの立ち下がりにて、交流駆動信号ＭＸの論理レベルで示される極性と同一極性にセットし、以降、次のラッチパルスＬＰａが供給されるまで繰り返すように、生成する。一方、ＰＷＭデコーダ２５０６は、階調データＤｎがオフ（白色）表示に相当する（００）であれば、交流駆動信号ＭＸの論理レベルで示される極性とは反対側の極性となるように、また、階調データＤｎがオン（黒色）表示に相当する（１１）であれば、交流駆動信号ＭＸの論理レベルで示される極性となるように、それぞれリセット信号ＲＥＳ等を用いて電圧選択信号を生成する。ただし、ＰＷＭデコーダ２５０６は、部分表示制御データＰＤｘで特定されるデータ線２１２の電圧選択信号について、対応する階調データＤｎにかかわらず、交流駆動信号ＭＹの論理レベルで示される極性となるように生成する。
一方、部分表示制御信号ＰＤｙがＬレベルである場合、ＰＷＭデコーダ２５０６は、データ信号の電圧が正極側電圧＋ＶＤ／２、負極側電圧−ＶＤ／２の一方から他方へ、当該Ｌレベルとなる期間を、ある偶数で分割した期間毎に反転する関係となるように、電圧選択信号を生成する。なお、本実施形態においては、当該偶数を「６」とする。
いずれにしても、ＰＷＭデコーダ２５０６は、このような電圧選択信号の生成を、読み出された１６０個の階調データＤｎの各々に対応して実行する。
さて、セレクタ２５０８は、ＰＷＭデコーダ２５０６による電圧選択信号によって指示される電圧を実際に選択して、対応するデータ線２１２の各々に供給するものである。
そして、セレクタ２５０８は、ＰＷＭデコーダ２５０６による電圧選択信号によって指示される電圧を実際に選択して、対応するデータ線２１２の各々に印加するものである。
＜データ信号の電圧波形＞
次に、上記構成のＸドライバ２５０によって供給されるデータ信号の電圧波形について検討する。ここでは、図５に示されるような部分表示を行うものとすると、部分表示制御信号ＰＤｙは、図１１に示されるように、１フレームのうち、２１〜４０本目の走査線が選択される計２０水平走査期間においてＨレベルとなる一方、１〜４０本目および６１〜２００本目の走査線が選択される計１８０水平走査期間においてＬレベルとなる。
まず、説明の便宜上、部分表示制御信号ＰＤｙがＨレベルとなる期間（表示領域に属する走査線が選択される期間）について説明すると、Ｘドライバ２５０によって供給されるデータ信号は、表示領域であるか、非表示領域であるかに依存して異なる。図１１（ａ）における領域ａは、これを意味する。
このうち、表示領域に属するデータ線２１２へのデータ信号Ｘｐ（図５の表示例でいえば、ＸｐはＸ４１〜Ｘ８０）は、選択される走査線３１２と、対応するｐ列目のデータ線２１２との交差に対応する画素１１６の階調データＤｎと対応したものとなる。詳細には、図１２に示されるように、階調データＤｎが（００）または（１１）以外であれば、ＰＷＭデコーダ２５０６の電圧選択信号によって、データ信号Ｘｉの電圧は、ラッチパルスＬＰａの立ち上がりにおいて、交流駆動信号ＭＸの論理レベルで示される極性とは反対側の極性となるようにリセットされ、第２に、階調コードパルスＧＣＰのうち、当該階調データＤｎに対応するものの立ち下がりにて、交流駆動信号ＭＸの論理レベルで示される極性と同一極性にセットされる。ただし、データ信号Ｘｉの電圧レベルは、階調データＤｎがオフ（白色）表示に相当する（００）であれば、交流駆動信号ＭＸの論理レベルで示される極性とは反対側の極性にされる一方、階調データＤｎがオン（黒色）表示に相当する（１１）であれば、交流駆動信号ＭＸの論理レベルで示される極性とは同一極性にされる。いずれにしても、データ信号Ｘｐは、１水平走査期間１Ｈにおいて、階調データにかかわらず、正極側電圧＋ＶＤ／２となる期間と負極側電圧−ＶＤ／２となる期間が互いに等しくなることが判る。
一方、部分表示制御信号ＰＤｙがＨレベルとなる期間にあって、非表示領域に属するデータ線２１２へのデータ信号Ｘｑ（図５の表示例でいえば、ＸｑはＸ１〜Ｘ４０およびＸ８１〜Ｘ１６０）は、図１２に示されるように、交流駆動信号ＭＹの論理レベルで示される極性、すなわち、選択電圧の極性と同一極性となる。したがって、データ信号Ｘｑは、ある１水平走査期間１Ｈに着目すれば、正極側電圧＋ＶＤ／２、または、負極側電圧−ＶＤ／２のいずれかであるが、１垂直走査期間のような比較的な長期間でみれば、正極側電圧＋ＶＤ／２となる期間と負極側電圧−ＶＤ／２となる期間が互いに等しくなることが判る。なお、図１２において、データ信号Ｘｐ、Ｘｑは、Ｙ方向に相隣接する４つの画素の階調データＤｎが同一である場合を示している。
次に、部分表示制御信号ＰＤｙがＬレベルとなる期間（非表示領域に属する走査線が選択される期間）について説明すると、Ｘドライバ２５０によって供給されるデータ信号の電圧は、図１１（ａ）に示されるように、正極側電圧＋ＶＤ／２または負極側電圧−ＶＤ／２の一方から他方へ、部分表示制御信号ＰＤｙがＬレベルとなる計１８０水平走査期間を「６」で分割した３０水平走査期間３０Ｈ毎に反転される。
このため、部分表示制御信号ＰＤｙがＬレベルとなる期間において、正極側電圧＋ＶＤ／２となる期間と負極側電圧−ＶＤ／２となる期間とが互いに等しくなることが判る。したがって、非表示領域に属する走査線が選択される期間において、データ信号の電圧実効値は、ほぼゼロとなる。
ここで、低消費電力化を図るという観点のみから言えば、非表示領域に属する走査線が連続して選択される期間におけるデータ信号の電圧は、正極側電圧＋ＶＤ／２および負極側電圧−ＶＤ／２の中間電圧たるゼロ電圧とする構成が望ましいが、この構成では、上述したように駆動電圧形成回路５００（図１参照）が、別途中間電圧を形成する必要があるだけでなく、ＰＷＭデコーダ２５０６（図１０参照）による電圧選択信号においてもビット数が余計に必要となり、さらに、セレクタ２５０８の選択範囲が広がってしまうので、構成が複雑化する。これに対し本実施形態によれば、これらの構成は、全画面表示のみを行う従来の構成と大差ないので、構成の複雑化は防止される。その上で、非選択領域に属する走査線が連続して選択される期間におけるデータ信号は、正極側電圧＋ＶＤ／２または負極側電圧−ＶＤ／２を、表示領域の走査線を選択する１水平走査期間よりも極めて長い３０水平走査期間毎に切り替えられるので、部分表示を行う場合において、Ｘドライバ２５０により消費される電力を、中間電圧を供給する構成並に低く抑えることが可能となる。
さらに、部分表示制御信号ＰＤｙがＬレベルである場合、本実施形態にあっては、上述したように、アドレス制御回路２５０２による行アドレスＲａｄの出力が禁止される構成となっている。ここで、部分表示制御信号ＰＤｙがＬレベルある期間では、その期間において表示が行われることがないので、階調データＤｎは不要である。したがって、単に、部分表示制御信号ＰＤｙがＬレベルある期間において、ＰＷＭデコーダ２５０６が、表示データＲＡＭから読み出された表示データを無視する構成でも良いが、本実施形態のように、積極的に行アドレスの供給を禁止すると、表示データの読み出しに消費される電力についても抑えることが可能となる。
同様に、部分表示制御信号ＰＤｙがＬレベルある期間では、その期間において表示が行われることはないので、階調コードパルスＧＣＰは不要である。したがって、制御回路４００において、部分表示制御信号ＰＤｙをＬレベルとする場合には、階調コードパルスＧＣＰの生成を積極的に停止させる構成とすれば、配線容量などに起因して消費される電力、さらに、階調コードパルスＧＣＰにしたがった動作により消費される電力についても抑制することが可能となる。
なお、本実施形態にあっては、一方、部分表示制御信号ＰＤｙがＬレベルである場合に、データ信号の反転間隔を、当該Ｌレベルとなる期間を「６」で分割した期間毎としたが、これ以上の偶数でも構わないし、これ以下の偶数でも構わない。
例えば、図１４に示されるような部分表示を行う場合には、部分表示制御信号ＰＤｙは、図１５に示されるように、１フレームのうち、１行目〜４０行目および８１行目〜２００行目の走査線が選択される計１６０水平走査期間においてＬレベルとなるが、この場合に、図１５（ａ）に示されるように、１６０水平走査期間を「８」で分割した２０水平走査期間２０Ｈ毎に、データ信号を正極側電圧＋ＶＤ／２または負極側電圧ＶＤ／２の一方から他方へ反転する構成としても良い。
また、例えば、図１１（ｂ）または図１５（ｂ）に示されるように、データ信号を、「４」で分割した期間毎に反転する構成としても良いし、図１１（ｃ）または図１５（ｃ）に示されるように、データ信号を、「２」で分割した期間毎に反転する構成としても良い。このうち、分割する個数としては、正極側電圧＋ＶＤ／２となる期間と負極側電圧−ＶＤ／２となる期間とが互いにほぼ等しくなることを確保しつつ、切替回数をなるべく少なくするという観点から言えば、「２」が最も望ましいと考える。
ところで、部分表示制御信号ＰＤｙがＬレベルとなる期間が、例えば、１７９水平走査期間のように、偶数で割れないような場合であっても、正極側電圧＋ＶＤ／２となる期間を９０水平走査期間とし、負極側電圧−ＶＤ／２となる期間を８９水平走査期間として、なるべく両期間を揃える構成が望ましい。また、この構成において、正極側電圧＋ＶＤ／２となる期間を９０水平走査期間とし、負極側電圧−ＶＤ／２となる期間を８９水平走査期間とした後に、両者を入れ替えて、正極側電圧＋ＶＤ／２となる期間を８９水平走査期間とし、負極側電圧−ＶＤ／２となる期間を９０水平走査期間とする構成でも良い。
＜データ信号の電圧切替＞
続いて、部分表示制御信号ＰＤｙがＨレベルである場合におけるデータ信号Ｘｐ、Ｘｑの電圧切替頻度について図１３を参照して検討すると、本実施形態において、表示領域に属するデータ線２１２へのデータ信号Ｘｐの電圧切替頻度は、オフ（白色）表示またはオン（黒色）表示の画素が列方向に連続すれば、選択電圧の極性が同一となる走査線が選択される２水平走査期間２Ｈあたり３回となり、また、灰色表示の画素が列方向に連続すれば、同２水平走査期間２Ｈあたり５回となる。
このため、図２６に示した従来の４値駆動法（１／２セレクト、１Ｈ反転）と単純に比較すると、表示領域に係るデータ信号の電圧切替頻度は高くなる。ただし、非表示領域に属するデータ線２１２へのデータ信号Ｘｑの電圧切替頻度は、２水平走査期間２Ｈあたり１回となり、単にオフ（白色）に相当する信号を供給する場合と比較して、電圧切替頻度が半減する。
したがって、本実施形態に係る表示装置において、図５に示されるような部分表示を行う場合に、表示領域に属する走査線が連続して選択される期間にあって、非表示領域にかかるデータ信号Ｘｑの電圧切替頻度が低下することによる消費電力の減少分が、表示領域にかかるデータ信号Ｘｐの電圧切替頻度が高くなることによる消費電力の増加分よりも上回れば、低消費電力化が図られることになる。実際、図５に示されるような部分表示を行う場合とは、待機時などのように通常の使用時とは異なる場合であって、最低限の情報を表示すれば足りる場合であるので、表示領域とするデータ線２１２の本数は、ごく少なくて済む。このため、表示領域にかかるデータ信号Ｘｐの電圧切替頻度が高くなることによる消費電力の増加分については、ほとんど無視することができ、非表示領域へのデータ信号Ｘｑの電圧切替頻度が低くなることによる低消費電力の効果のみについて検討すれば十分である、と考えられる。
＜第１実施形態の応用例＞
なお、第１実施形態においては、選択電圧の極性を２水平走査期間毎に反転する構成としたが、本発明はこれに限られず、３以上の水平走査期間毎に反転する構成としても良い。例えば、図１６に示されるように、選択電圧の極性を４水平走査期間４Ｈ毎に反転する構成としても良い。
このように選択電圧の極性を４水平走査期間４Ｈ毎に反転する構成において、表示領域に属する走査線が連続して選択される期間に、表示領域に属するデータ線２１２へのデータ信号Ｘｐの電圧切替頻度は、オフ（白色）またはオン（黒色）表示の画素が列方向に連続すれば、選択電圧の極性が同一となる走査線が選択される４水平走査期間４Ｈあたり７回となり、また、灰色表示の画素が列方向に連続すれば、同４水平走査期間４Ｈあたり９回となる。このため、図２６に示される従来の４値駆動法（１／２セレクト、１Ｈ反転）と比較しても、表示領域に係るデータ信号の電圧切替頻度に大差はなくなる。さらに、非表示領域に属するデータ線２１２へのデータ信号Ｘｑの電圧切替頻度は、４水平走査期間４Ｈあたり１回となるので、電圧切替頻度が激減する。
一般的に、本実施形態において、選択電圧の極性反転周期をｍ水平走査期間に設定すると、表示領域に属する走査線が連続して選択される期間にあって、表示領域に属するデータ線２１２へのデータ信号Ｘｐの電圧切替頻度は、オフ（白色）表示またはオン（黒色）表示の画素が列方向に連続すれば、ｍ水平走査期間ｍＨあたり（２ｍ−１）回となり、また、灰色表示の画素が列方向に連続すれば、ｍ水平走査期間ｍＨあたり（２ｍ＋１）回となる。さらに、非表示領域に属するデータ線２１２へのデータ信号Ｘｑの電圧切替頻度は、ｍ水平走査期間ｍＨあたり１回となる。
したがって、選択電圧の極性反転周期を長周期化するにつれて、表示領域にかかるデータ信号Ｘｐの電圧切替頻度が１水平走査期間１Ｈあたり１回に近づき、また、非表示領域へのデータ信号Ｘｑの電圧切替頻度が減少するので、より低消費電力化を図ることが可能となる。
なお、上述したように選択電圧の極性反転周期は、交流駆動信号ＭＹにおける論理レベルの反転周期に一致する。このため、交流駆動信号ＭＹにおける論理レベルの反転周期を操作するだけで、選択電圧の極性反転周期を所望の周期に設定することができる。
また、上述した説明にあっては、非表示領域へのデータ信号Ｘｑの電圧切替タイミングを、１本の走査線３１２を選択する１水平走査期間の先頭タイミングとしたが、選択電圧は、その後半期間１／２において印加されるので、この後半期間の先頭タイミングとしても良い。すなわち、非表示領域へのデータ信号Ｘｑについては、図１２、図１３または図１６に対し、１水平走査期間の半分の１／２Ｈだけ遅延させても良い。さらに、選択電圧を印加する期間について、１水平走査期間１Ｈの後半期間としたが、前半期間としても良いのはもちろんである。
＜第２実施形態＞
上述した第１実施形態では、表示領域に属する走査線が連続して選択される期間にあって、非表示領域へのデータ信号Ｘｑの電圧切替頻度については低減されるものの、表示領域へのデータ信号Ｘｐの電圧切替頻度については高くなる傾向があった。そこで、表示領域へのデータ信号Ｘｐの電圧切替頻度を低く抑えることを目的とする第２実施形態について説明する。なお、第２実施形態に係る表示装置は、第１実施形態とは制御信号が異なるだけであり、機械的・電気的な構成については同一である。このため、第２実施形態については、第１実施形態と異なる部分を中心にして説明することとする。
ただ、第２実施形態にあっては、選択電圧の極性反転周期を４水平走査期間４Ｈとする。このため、交流駆動信号ＭＹにおける論理レベルも、４水平走査期間４Ｈ毎に反転するように設定される。より詳細には、交流駆動信号ＭＹにおける論理レベルは、１行目〜４行目、５行目〜８行目、９行目〜１２行目、…、１９７行目〜２００行目というように４本の走査線３１２が選択される４水平走査期間４Ｈ毎に反転するように設定される。
さて、本実施形態において、１水平走査期間１Ｈにおける選択電圧の印加期間を規定する制御信号ＩＮＨは、図１７に示されるように、クロック信号ＹＣＬＫの２倍の周期を有するとともに、奇数行目の走査線３１２が選択される１水平走査期間の後半期間と、これに続く偶数行目の走査線３１２が選択される１水平走査期間の前半期間とにわたって、Ｈレベルとなるように設定されている。このため、走査信号の選択電圧は、図１７に示されるように、奇数行目の走査線３１２については、当該走査線が選択される１水平走査期間１Ｈの後半期間に印加され、これに続く偶数行目の走査線３１２については、当該走査線が選択される１水平走査期間１Ｈの前半期間に印加されることになる。
一方、Ｘ側にあっては、交流駆動信号ＭＹおよび制御信号ＩＮＨが変更された関係上、交流駆動信号ＭＸも異なっている。すなわち、交流駆動信号ＭＸの論理レベルは、制御信号ＩＮＨがＨレベルである場合、交流駆動信号ＭＹをレベル反転したものとなる一方、制御信号ＩＮＨがＬレベルである場合、交流駆動信号ＭＹのレベルを維持したものとなる点においては第１実施形態と共通であるが、第２実施形態では、交流駆動信号ＭＹおよび制御信号ＩＮＨが上述したように変更された関係上、交流駆動信号ＭＸもこれにしたがって変更されている。
また、第１実施形態におけるラッチパルスＬＰａの代わりに、第２実施形態では、ラッチパルスＬＰｂがＸドライバ２５０におけるＰＷＭデコーダ２５０６（図１０参照）に供給されている。このラッチパルスＬＰｂは、図１８に示されるように、１水平走査期間１Ｈの開始を規定するラッチパルスＬＰのうち、交流駆動信号ＭＹの論理レベルが遷移するタイミングに出力されるものを除いたものである。
そして、このようなラッチパルスＬＰｂ等の信号を用いて、第２実施形態におけるＰＷＭデコーダ２５０６は、部分表示制御信号ＰＤｙがＨレベルであれば、次のような電圧選択信号を生成する。すなわち、ＰＷＭデコーダ２５０６は、１個の階調データＤｎに着目した場合に、当該階調データがオン表示およびオフ表示以外の中間階調表示を指示するものであれば、これに対応する電圧選択信号を、第１に、ラッチパルスＬＰｂの立ち上がりにおいて、交流駆動信号ＭＸの論理レベルで示される極性とは反対側の極性にリセットし、第２に、階調コードパルスＧＣＰのうち、当該階調データＤｎに対応するものの立ち下がりにて、交流駆動信号ＭＸの論理レベルで示される極性と同一極性にセットする動作を繰り返すように、生成する。なお、ＰＷＭデコーダ２５０６は、階調データＤｎがオフ表示に相当する（００）であれば、交流駆動信号ＭＸの論理レベルで示される極性とは反対側の極性となるように、また、階調データＤｎがオン表示に相当する（１１）であれば、交流駆動信号ＭＸの論理レベルで示される極性となるように、それぞれリセット信号ＲＥＳ等を用いて電圧選択信号を生成する点は、第１実施形態と同様である。
結局、第２実施形態におけるＸドライバ２５０によって供給されるデータ信号の電圧波形は、部分表示制御信号ＰＤｙがＨレベルである期間では、図１８に示されるようなものとなる。すなわち、走査信号における選択電圧が奇数行目の走査線３１２では後半期間に印加され、それに続く偶数行目の走査線３１２では前半期間に印加されることに対応して、点灯電圧が後半期間と前半期間とに印加されるものとなる。
ここで、部分表示制御信号ＰＤｙがＨレベルである期間において、表示領域にかかるデータ信号Ｘｐの電圧切替頻度と、非表示領域にかかるデータ信号Ｘｑの電圧切替頻度とについて図１９を参照して検討する。この図に示されるように、本実施形態において、部分表示制御信号ＰＤｙがＨレベルである期間でのデータ信号Ｘｐの電圧切替頻度は、オフ（白色）表示またはオン（黒色）表示の画素が列方向に連続すれば、選択電圧の極性が同一となる走査線が選択される４水平走査期間４Ｈあたり５回となる。
一般的に、第２実施形態において、選択電圧の極性反転周期をｍ水平走査期間に設定すると、部分表示制御信号ＰＤｙがＨレベルである期間にあって、表示領域に属するデータ線２１２へのデータ信号Ｘｐの電圧切替頻度は、オフ（白色）表示またはオン（黒色）表示の画素が列方向に連続すれば、ｍ水平走査期間ｍＨあたり（ｍ＋１）回となり、第１実施形態における応用例（図１１参照）比較して低減されることが判る。このため、第２実施形態では、第１実施形態と比較して、さらに低消費電力化を図ることが可能となる。
ただし、第２実施形態によれば、部分表示制御信号ＰＤｙがＨレベルである期間にあって、オフ（白色）表示またはオン（黒色）表示の画素へのデータ信号Ｘｐの電圧切替頻度については、第１実施形態と比較して低く抑えることができるが、灰色表示の画素へのデータ信号Ｘｐの電圧切替頻度については、本実施形態では、４水平走査期間４Ｈあたり１１回となり、一般的に言えば、選択電圧の極性反転周期をｍ水平走査期間に設定した場合、ｍ水平走査期間ｍＨあたり（３ｍ−１）回となり、第１実施形態と比較してむしろ高くなる。
しかしながら、この点については、後述する第３実施形態のほか、次のような構成を採用することで回避可能である。すなわち、図５に示されるような部分表示にあっては、表示領域において必要最低限の情報を表示すれば足りるので、灰色表示を行わずに、階調データＤｎの最上位ビットのみを参照して強制的にオン表示またはオフ表示のいずれかとして、灰色表示を禁止する構成とすれば良い。このように部分表示において灰色表示を禁止する構成を採用すると、電力消費が著しい灰色表示を行わないで済み、非表示領域へのデータ信号Ｘｑについてはもちろん、表示領域におけるオフ（白色）表示またはオン（黒色）表示の画素へのデータ信号Ｘｐの電圧切替頻度も低下するので、さらに低消費電力を図ることが可能となる。
＜第３実施形態＞
次に、本発明の第３実施形態に係る表示装置について説明するが、その前に、階調表示を行う場合の一般的な駆動方法について説明する。階調表示の方法は、電圧変調とパルス幅変調とに大別されるが、前者の電圧変調では、所定の階調を表示するための電圧制御が困難であるため、一般には、後者のパルス幅変調が用いられる。このパルス幅変調を、上述した４値駆動法（１／２Ｈセレクト）に適用する場合、図２０（ａ）に示されるように、選択期間の終わりに点灯電圧を印加する、といういわゆる右寄変調法と、同図（ｂ）に示されるように、選択期間の始めに点灯電圧を印加する、といういわゆる左寄変調法と、階調データの各ビットの重みに対応した時間幅の点灯電圧を、選択期間において分散させる、といういわゆる分散変調法（図示省略）との３通りが存在する。ここで、点灯電圧とは、上述したように、データ線２１２に印加されるデータ電圧のうち、選択電圧±ＶＳの印加期間において当該選択電圧とは逆極性となるデータ電圧をいい、いわば画素１１６の書き込みに寄与する電圧を意味する。
さて、３通りの変調法のうち、左寄変調法と分散変調法とにおいては、点灯電圧を一旦書き込んだ後に、放電が発生することになるので、階調制御が困難となる上、駆動電圧を高くしなければならない、という欠点があるので、４値駆動法において、階調表示を行う場合には、一般的には図２０（ａ）に示される右寄変調法が用いられる。
ここで、４値駆動法において階調表示のために右寄変調法を用いた場合に、表示領域に属する走査線が連続して選択される期間にあって、表示領域にかかるｐ列目の画素１１６がオフ（白色）表示またはオン（黒色）表示であるとき、当該列に対応するデータ信号Ｘｐにおける電圧切替頻度は、選択電圧の極性反転周期をｍ水平走査期間ｍＨ（ｍは２以上の整数）とすると、第１および第２実施形態では、ｍ水平走査期間ｍＨあたり（２ｍ−１）回であり、ｍを大きくすることで、１水平走査期間あたり１回に限りなく近づけることができる。
しかしながら、ある１列の画素１１６が中間階調（灰色）表示であるとき、当該列に対応するデータ信号Ｘｐにおける電圧切替頻度は、第２実施形態では図１９に示されるようにｍ水平走査期間ｍＨあたり（３ｍ−１）回となって、却って高くなる傾向がある。このため、部分表示における表示領域にあって灰色表示となる画素の割合が大きくなると、データ信号Ｘｐにおける電圧切替頻度が増加して、非表示領域にかかるデータ信号Ｘｑの電圧切替頻度の低下という効果を相殺してしまうことになる。
そこで、本発明の第３実施形態に係る表示装置は、図２１に示されるように、選択電圧が１水平走査期間の後半期間１／２Ｈに印加される場合には、右寄変調法を用いる一方、選択電圧が１水平走査期間の前半期間１／２Ｈに印加される場合には、左寄変調法を用いることによって、点灯電圧が後半期間・前半期間で連続して印加されるようにして、灰色表示にかかるデータ信号Ｘｐの電圧切替頻度を低く抑えることとした。
以下、この第３実施形態に係る表示装置について説明するが、この表示装置は、第２実施形態とはＸ側の制御信号が異なるだけであり、機械的・電気的な構成については同一である。このため、第３実施形態については、第２実施形態と異なる部分を中心にして説明することとする。
すなわち、第３実施形態にあっては、第２実施形態と同様に、選択電圧の極性反転周期を４水平走査期間４Ｈとするため、交流駆動信号ＭＹにおける論理レベルは、１行目〜４行目、５行目〜８行目、９行目〜１２行目、…、１９７行目〜２００行目というように４本の走査線３１２が選択される４水平走査期間４Ｈ毎に反転するように設定される。
また、第３実施形態にあって、制御信号ＩＮＨは、図１７に示される第２実施形態と同様に、クロック信号ＹＣＬＫの２倍の周期を有するとともに、奇数行目の走査線３１２が選択される１水平走査期間の後半期間と、これに続く偶数行目の走査線３１２が選択される１水平走査期間の前半期間とにわたって、Ｈレベルとなるように設定されている。
このため、第３実施形態では、図２２に示されるように、走査信号の選択電圧は、奇数行目の走査線３１２については、当該走査線が選択される１水平走査期間１Ｈの後半期間に印加され、これに続く偶数行目の走査線３１２については、当該走査線が選択される１水平走査期間１Ｈの前半期間に印加されることになり、この点については第２実施形態と同様である。
一方、Ｘ側にあって、交流駆動信号ＭＸについても、第２実施形態と同様である。すなわち、交流駆動信号ＭＸの論理レベルは、制御信号ＩＮＨがＨレベルである場合、交流駆動信号ＭＹをレベル反転したものとなる一方、制御信号ＩＮＨがＬレベルである場合、交流駆動信号ＭＹのレベルを維持したものとなる点においては第１実施形態と共通であるが、第３実施形態では、交流駆動信号ＭＹおよび制御信号ＩＮＨが上述したように変更された関係上、交流駆動信号ＭＸもこれにしたがって変更されている。
また、第３実施形態では、第２実施形態におけるラッチパルスＬＰｂの代わりにラッチパルスＬＰｃが供給され、さらに、第２実施形態における階調コードパルスＧＣＰの代わりに右寄変調用階調コードパルスＧＣＰＲおよび左寄変調用階調コードパルスＧＣＰＬが、Ｘドライバ２５０におけるＰＷＭデコーダ２５０６（図８参照）に供給されている。このうち、ラッチパルスＬＰｃは、図２１に示されるように、１水平走査期間１Ｈの開始を規定するラッチパルスＬＰのうち、交流駆動信号ＭＹの論理レベルが遷移するタイミングに出力されるものを抽出したものである。さらに、右寄用階調コードパルスＧＣＰＲは、右寄変調法において用いる階調制御用のパルスであり、図２１に示されるように、１水平走査期間１Ｈを分割した前半期間・後半期間の各終点から手前側に、中間階調のレベルに応じた期間の位置にパルスをそれぞれ配列させたものであり、第１および第２実施形態における階調コードパルスＧＣＰと同じものである。一方、左寄用階調コードパルスＧＣＰＬは、左寄変調法において用いる階調制御用のパルスであり、図２１に示されるように、１水平走査期間１Ｈを分割した前半期間・後半期間の各始点から中間階調のレベルに応じた期間の位置にパルスをそれぞれ配列させたものである。
そして、このようなラッチパルスＬＰｃ、右寄変調用階調コードパルスＧＣＰＲおよび左寄変調用階調コードパルスＧＣＰＬ等の信号を用いて、第３実施形態におけるＰＷＭデコーダ２５０６は、部分表示制御信号ＰＤｙがＨレベルである期間において、次のような電圧選択信号を生成する。すなわち、ＰＷＭデコーダ２５０６は、第１に、ラッチパルスＬＰｃと同時に供給されるラッチパルスＬＰを第１番目とした場合に、第１番目のラッチパルスＬＰが供給されてから第２番目のラッチパルスＬＰが供給されるまでの期間、および、第３番目のラッチパルスＬＰが供給されてから第４番目のラッチパルスＬＰが供給されるまでの期間につき、それぞれ選択電圧を後半期間に供給すべき１水平走査期間と認識する一方、第２番目のラッチパルスＬＰが供給されてから第３番目のラッチパルスＬＰが供給されるまでの期間、および、第４番目のラッチパルスＬＰが供給されてから次のラッチパルスＬＰが供給されるまでの期間につき、それぞれ選択電圧を前半期間に供給すべき１水平走査期間と認識する。
そして、ＰＷＭデコーダ２５０６は、部分表示制御信号ＰＤｙがＨレベルである期間にあって、選択電圧を後半期間に供給すべき１水平走査期間と認識した場合、１個の階調データＤｎに着目して、当該階調データがオン表示およびオフ表示以外の中間階調（灰色）表示を指示するものであれば、これに対応する電圧選択信号を、第２に、ラッチパルスＬＰの立ち上がりにおいて、交流駆動信号ＭＸの直前の論理レベルで示される極性とは同一極性にリセットし、第３に、前半期間における右寄変調用階調コードパルスＧＣＰＲのうち、当該階調データＤｎに対応するものの立ち下がりにて、交流駆動信号ＭＸの論理レベルで示される極性と同一極性にセットし、第４に、後半期間における右寄変調用階調コードパルスＧＣＰＲのうち、当該階調データＤｎに対応するものの立ち下がりにて、再度、交流駆動信号ＭＸの論理レベルで示される極性と同一極性にセットするように、生成する。
一方、ＰＷＭデコーダ２５０６は、部分表示制御信号ＰＤｙがＨレベルである期間にあって、選択電圧を前半期間に供給すべき１水平走査期間と認識した場合、１個の階調データＤｎに着目して、当該階調データがオン表示およびオフ表示以外の中間階調（灰色）表示を指示するものであれば、これに対応する電圧選択信号を、第２に、ラッチパルスＬＰの立ち上がりにおいて、交流駆動信号ＭＸの論理レベルで示される極性と同一極性にリセットし、第３に、前半期間における左寄変調用階調コードパルスＧＣＰＬのうち、当該階調データＤｎに対応するものの立ち下がりにて、交流駆動信号ＭＸの論理レベルで示される極性と反対側の極性にセットし、第４に、後半期間における右寄変調用階調コードパルスＧＣＰＲのうち、当該階調データＤｎに対応するものの立ち下がりにて、再度、交流駆動信号ＭＸの論理レベルで示される極性と反対側の極性にセットするように、生成する。
なお、ＰＷＭデコーダ２５０６は、部分表示制御信号ＰＤｙがＨレベルである期間にあって、選択電圧を前半期間または後半期間に供給すべき１水平走査期間であっても、階調データＤｎがオフ（白色）表示に相当する（００）であれば、交流駆動信号ＭＸの論理レベルで示される極性とは反対側の極性となるように、また、階調データＤｎがオン（黒色）表示に相当する（１１）であれば、交流駆動信号ＭＸの論理レベルで示される極性となるように、それぞれリセット信号ＲＥＳ等を用いて電圧選択信号を生成する点は、第１実施形態と同様である。
結局、第３実施形態におけるＸドライバ２５０によって供給されるデータ信号の電圧波形は、部分表示制御信号ＰＤｙがＨレベルである期間では、図２１に示されるようなものとなる。すなわち、部分表示制御信号ＰＤｙがＨレベルである期間にあって、選択電圧が、ある走査線３１２に対し後半期間に印加されると、点灯電圧は右寄変調法で印加され、それに続く走査線３１２に対して選択電圧が前半期間に印加されると、点灯電圧は左寄変調法で印加される結果、点灯電圧が後半期間と前半期間とに連続して印加されることになる。
ここで、第３実施形態において、部分表示制御信号ＰＤｙがＨレベルである期間に、表示領域にかかるデータ信号Ｘｑの電圧切替頻度であって、灰色表示の画素へのデータ信号Ｘｐの電圧切替頻度について、図２２を参照して検討すると、第３実施形態では、４水平走査期間４Ｈあたり９回となり、一般的に言えば、選択電圧の極性反転周期をｍ水平走査期間に設定した場合、ｍ水平走査期間ｍＨあたり（２ｍ＋１）回となって、第１実施形態と同様になる。
なお、第３実施形態において、部分表示制御信号ＰＤｙがＨレベルである期間におけるデータ信号Ｘｐの電圧切替頻度は、オフ（白色）表示またはオン（黒色）表示の画素が列方向に連続すれば、第２実施形態と同様に、選択電圧の極性が同一となる走査線が選択される４水平走査期間４Ｈあたり５回となり、一般的に言えば、選択電圧の極性反転周期をｍ水平走査期間に設定すると、表示領域に属するデータ線２１２へのデータ信号Ｘｐの電圧切替頻度は、ｍ水平走査期間ｍＨあたり（ｍ＋１）回となる。
このため、第３実施形態では、部分表示制御信号ＰＤｙがＨレベルである期間にあって、表示領域にかかるデータ信号Ｘｑの電圧切替頻度のうち、オフ（白色）表示またはオン（黒色）の画素へのデータ信号Ｘｐの電圧切替頻度については、第２実施形態並に低く抑えることができ、さらに、灰色表示の画素へのデータ信号Ｘｐの電圧切替頻度については、第１実施形態並に低く抑えることが可能となる。
以上説明した第１、第２および第３実施形態によれば、図５に示されるような部分表示を行う場合に、部分表示制御信号ＰＤｙがＨレベルである期間、すなわち、表示領域に属する走査線が走査される期間にあって、非表示領域にかかるデータ線へのデータ信号Ｘｑを、単に、オフ表示の信号とする構成と比較すると、電圧切替頻度が低減されるので、低消費電力が図られることになる。
なお、上述した第２および第３実施形態では、１水平走査期間のうちの後半期間１／２Ｈと、次の１水平走査期間のうちの前半期間１／２Ｈとを対としているため、選択電圧の極性反転周期を示すｍは、２以上の偶数として考えられるが、奇数としても良い。ただ、ｍを奇数とすると、対をなさない１水平走査期間が発生するが、データ信号Ｘｐ、Ｘｑの電圧切替頻度について影響を及ぼさない。
また、上述した実施形態にあっては、非表示とするデータ線２１２を特定するデータＰＤｘをＰＷＭデコーダ２５０６に供給していたが、これを、アドレス制御回路２５０２に供給して、当該データに対応する階調データＤｎの読出アドレスＲａｄの生成を禁止するとともに、これにより、階調データＤｎが読み出されていないものについては、ＰＷＭデコーダ２５０６が非表示とすべきものと認識してデータ信号Ｘｑの電圧選択信号を生成する構成としても良い。
さらに、上述した実施形態にあっては、透過型として説明したが、反射型や半透過半反射型としても良い。反射型とする場合には、画素電極２３４をアルミニウムなどの反射性金属から形成したり、反射膜を別途形成したりして、対向基板３００側からの光を反射させる構成とすれば良い。また、半透過半反射型とする場合には、反射性金属からなる画素電極２３４や反射膜を極めて薄く形成したり、開口部を設けたりするなどの構成とすれば良いし、反射型とする場合には、対向基板３００側からの光を反射させる一方、透過型とする場合には、バックライトユニットによる照射光を透過させる構成とすれば良い。
また、上述した実施形態にあっては、２ビットの階調データＤｎによる４階調表示を行う構成としたが、本発明はこれに限られず、３ビット以上の多階調表示を行うとしても良い。また、画素をさらにＲ（赤）、緑（Ｇ）、Ｂ（青）の各色に対応させて、カラー表示を行うとしても良いのはもちろんである。
一方、図１において、ＴＦＤ２２０はデータ線２１２の側に接続され、液晶層１１８が走査線３１２の側に接続されているが、これとは逆に、ＴＦＤ２２０が走査線３１２の側に、液晶層１１８がデータ線２１２の側にそれぞれ接続される構成でも良い。
また、上述した液晶パネル１００におけるＴＦＤ２２０は、スイッチング素子の一例であり、他に、ＺｎＯ（酸化亜鉛）バリスタや、ＭＳＩ（Ｍｅｔａｌ  Ｓｅｍｉ−Ｉｎｓｕｌａｔｏｒ）などを用いた素子や、これら素子を２つ逆向きに直列接続または並列接続したものなどの二端子型素子が適用可能であり、さらに、ＴＦＴ（Ｔｈｉｎ  Ｆｉｌｍ  Ｔｒａｎｓｉｓｔｏｒ：薄膜トランジスタ）や、絶縁ゲート型電界効果トランジスタなどの三端子型素子が適用可能である。
ただし、スイッチング素子として三端子型素子を適用する場合には、素子基板２００にデータ線２１２または走査線３１２の一方だけではなく、双方を交差させて形成しなければならないので、それだけ配線ショートの可能性が高まる点、さらに、ＴＦＴ自体は、ＴＦＤよりも構成が複雑であるので、製造プロセスが複雑化する点において、不利である。また、ＴＦＤやＴＦＴなどのようなスイッチング素子を用いないパッシィブ型液晶などにも適用可能である。
さらに、上述した実施形態では、液晶としてＴＮ型を用いたが、ＢＴＮ（Ｂｉ−ｓｔａｂｌｅ  Ｔｗｉｓｔｅｄ  Ｎｅｍａｔｉｃ）型・強誘電型などのメモリ性を有する双安定型や、高分子分散型、さらには、分子の長軸方向と短軸方向とで可視光の吸収に異方性を有する染料（ゲスト）を一定の分子配列の液晶（ホスト）に溶解して、染料分子を液晶分子と平行に配列させたＧＨ（ゲストホスト）型などの液晶を用いても良い。また、電圧無印加時には液晶分子が両基板に対して垂直方向に配列する一方、電圧印加時には液晶分子が両基板に対して水平方向に配列する、という垂直配向（ホメオトロビック配向）の構成としても良いし、電圧無印加時には液晶分子が両基板に対して水平方向に配列する一方、電圧印加時には液晶分子が両基板に対して垂直方向に配列する、という平行（水平）配向（ホモジニアス配向）の構成としても良い。このように、本発明では、液晶や配向方式として、種々のものに適用することが可能である。
くわえて、上述した説明にあっては、電気光学材料として液晶を用いた表示装置を例にとって説明したが、エレクトロルミネッセンスや、蛍光表示管、プラズマディスプレイなど、電気光学効果により表示を行う表示装置に適用可能である。すなわち、本発明は、上述した表示装置と類似の構成を有するすべての表示装置に適用である。
＜電子機器＞
次に、上述した実施形態に係る表示装置を電子機器に用いた例について説明する。
＜その１：モバイル型コンピュータ＞
まず、上述した表示装置を、モバイル型のパーソナルコンピュータの表示部に適用した例について説明する。図２８は、このパーソナルコンピュータの構成を示す斜視図である。図において、コンピュータ１１００は、キーボード１１０２を備えた本体部１１０４と、表示部として用いられる液晶パネル１００とを備えている。なお、この液晶パネル１００の背面には、視認性を高めるためにバックライトが設けられるが、外観には表れないので、図示を省略している。
＜その２：携帯電話＞
続いて、上述した表示装置を、携帯電話の表示部に適用した例について説明する。図２９は、この携帯電話の構成を示す斜視図である。図において、携帯電話１２００は、複数の操作ボタン１２０２のほか、受話口１２０４、送話口１２０６とともに、上述した液晶パネル１００を備えるものである。この液晶パネル１００は、着信時または発信時には全領域を表示領域とする全画面表示を行う一方、待ち受け時には部分表示を行い、この表示領域において電界強度や、番号、文字、日付時刻など必要な情報のみを表示する。これにより、待ち受け時において表示装置で消費される電力が抑えられるので、待ち受け可能時間の長期化を図ることが可能となる。なお、この液晶パネル１００の背面にも、視認性を高めるためのバックライトが設けられるが、外観には現れないので、図示を省略している。
＜その３：ディジタルスチルカメラ＞
次に、上述した表示装置をファインダに用いたディジタルスチルカメラについて説明する。図３０は、このディジタルスチルカメラの構成を示す斜視図であるが、外部機器との接続についても簡易的に示すものである。
通常の銀塩カメラは、被写体の光像によってフィルムを感光するのに対し、ディジタルスチルカメラ１３００は、被写体の光像をＣＣＤ（Ｃｈａｒｇｅ  Ｃｏｕｐｌｅｄ  Ｄｅｖｉｃｅ）などの撮像素子により光電変換して撮像信号を生成するものである。ここで、ディジタルスチルカメラ１３００におけるケース１３０２の背面には、上述した液晶パネル１００が設けられ、ＣＣＤによる撮像信号に基づいて、表示を行う構成となっている。このため、液晶パネル１００は、被写体を表示するファインダとして機能する。また、ケース１３０２の前面側（図３０においては裏面側）には、光学レンズやＣＣＤなどを含んだ受光ユニット１３０４が設けられている。
ここで、撮影者が液晶パネル１００に表示された被写体像を確認して、シャッタボタン１３０６を押下すると、その時点におけるＣＣＤの撮像信号が、回路基板１３０８のメモリに転送・格納される。また、このディジタルスチルカメラ１３００にあっては、ケース１３０２の側面に、ビデオ信号出力端子１３１２と、データ通信用の入出力端子１３１４とが設けられている。そして、図に示されるように、前者のビデオ信号出力端子１３１２にはテレビモニタ１３２０が、また、後者のデータ通信用の入出力端子１３１４にはパーソナルコンピュータ１３３０が、それぞれ必要に応じて接続される。さらに、所定の操作によって、回路基板１３０８のメモリに格納された撮像信号が、テレビモニタ１３２０や、パーソナルコンピュータ１３３０に出力される構成となっている。
なお、電子機器としては、図２８のパーソナルコンピュータや、図２９の携帯電話、図３０のディジタルスチルカメラの他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、上述した表示装置が適用可能なのは言うまでもない。
以上説明したように本発明によれば、特定の走査線および特定のデータ線の交際に対応する画素のみを表示状態とする一方、それ以外の画素を非表示状態とする場合に、特定のデータ線以外のデータ線に対して、単に、非点灯電圧を印加するときと比較して、電圧の切替頻度が低下するので、その切り替わりに伴って消費される電力を低く抑えることが可能となる。
【図面の簡単な説明】
図１は、本発明の第１実施形態に係る表示装置の電気的な構成を示すブロック図である。
図２は、同表示装置における液晶パネルの構成を示す斜視図である。
図３は、同液晶パネルをＸ方向で破断した場合の構成を示す部分断面図である。
図４は、同液晶パネルの要部構成を示す部分破断斜視図である。
図５は、同液晶パネルにおける部分表示の態様を説明するための図である。
図６は、同表示装置におけるＹドライバの構成を示すブロック図である。
図７は、同Ｙドライバの動作を説明するためのタイミングチャートである。
図８は、同Ｙドライバの動作を説明するためのタイミングチャートである。
図９は、同Ｙドライバの動作を説明するためのタイミングチャートである。
図１０は、同表示装置におけるＸドライバの構成を示すブロック図である。
図１１は、同Ｘドライバの動作を説明するためのタイミングチャートである。
図１２は、同Ｘドライバの動作を説明するためのタイミングチャートである。
図１３は、部分表示制御信号ＰＤｙがＨレベルである場合における電圧波形を、画素の階調との関連において示すタイミングチャートである。
図１４は、部分表示の別の態様を説明するための図である。
図１５は、同Ｘドライバの動作を説明するためのタイミングチャートである。
図１６は、同実施形態の応用例にあって、部分表示制御信号ＰＤｙがＨレベルである期間における電圧波形を、画素の階調との関連において示すタイミングチャートである。
図１７は、本発明の第２実施形態に係る表示装置におけるＹドライバの動作を説明するためのタイミングチャートである。
図１８は、同表示装置におけるＸドライバの動作を説明するためのタイミングチャートである。
図１９は、部分表示制御信号ＰＤｙがＨレベルである場合における電圧波形を、画素の階調との関連において示すタイミングチャートである。
図２０は、（ａ）は、右寄変調法を説明するための図であり、（ｂ）は、左寄変調法を説明するための図である。
図２１は、本発明の第３実施形態に係る表示装置におけるＸドライバの動作を説明するためのタイミングチャートである。
図２２は、部分表示制御信号ＰＤｙがＨレベルであるにおける電圧波形を、同Ｘドライバおよび同Ｙドライバよる電圧波形を画素の表示態様との関連において示すタイミングチャートである。
図２３は、（ａ）および（ｂ）は、それぞれ実施形態に係る表示装置における画素の等価回路を示す図である。
図２４は、４値駆動法（１Ｈセレクト）における走査信号Ｙｊおよびデータ信号Ｘｉの波形例を示す図である。
図２５は、表示の不具合を説明するための図である。
図２６は、４値駆動法（１／２Ｈセレクト）における走査信号Ｙｊおよびデータ信号Ｘｉの波形例を示す図である。
図２７は、（ａ）、（ｂ）は、それぞれ非選択期間（保持期間）におけるデータ信号Ｘｉの電圧切り替わりによる電力消費を説明するための図である。
図２８は、実施形態に係る表示装置を適用した電子機器の一例たるパーソナルコンピュータの構成を示す斜視図である。
図２９は、同表示装置を適用した電子機器の一例たる携帯電話の構成を示す斜視図である。
図３０は、同表示装置を適用した電子機器の一例たるディジタルスチルカメラの構成を示す斜視図である。
図３１は、従来の部分表示駆動による表示態様を説明するための図である。
【図１】
0003975915.tif 000002
【図２】
0003975915.tif 000003
【図３】
0003975915.tif 000004
【図４】
0003975915.tif 000005
【図５】
0003975915.tif 000006
【図６】
0003975915.tif 000007
【図７】
0003975915.tif 000008
【図８】
0003975915.tif 000009
【図９】
0003975915.tif 000010
【図１０】
0003975915.tif 000011
【図１１】
0003975915.tif 000012
【図１２】
0003975915.tif 000013
【図１３】
0003975915.tif 000014
【図１４】
0003975915.tif 000015
【図１５】
0003975915.tif 000016
【図１６】
0003975915.tif 000017
【図１７】
0003975915.tif 000018
【図１８】
0003975915.tif 000019
【図１９】
0003975915.tif 000020
【図２０】
0003975915.tif 000021
【図２１】
0003975915.tif 000022
【図２２】
0003975915.tif 000023
【図２３】
0003975915.tif 000024
【図２４】
0003975915.tif 000025
【図２５】
0003975915.tif 000026
【図２６】
0003975915.tif 000027
【図２７】
0003975915.tif 000028
【図２８】
0003975915.tif 000029
【図２９】
0003975915.tif 000030
【図３０】
0003975915.tif 000031
【図３１】
0003975915.tif 000032